(57)【要約】  医療行為ごとの詳細情報である複数のＣＯＡ情報と、このＣＯＡ情報により構成された患者ごとの電子カルテ情報とを記憶する記憶部（１２）と、診療計画に関する情報と実施行為に関する情報とをそれぞれ入力する入力部（１１）と、入力された診療計画に関する情報および実施行為に関する情報に対応する医療行為情報およびカルテ情報を記憶部から取得する電子カルテ情報取得部（１３）と、電子カルテ情報取得部（１３）で取得された診療計画に関する情報および実施行為に関する情報と、ＣＯＡ情報と、電子カルテ情報とに基づいて表示画面情報を作成する表示画面情報生成部（１４）とを備え、診療計画の情報と実際の医療行為の実施に関する情報とを区別して管理することができる電子カルテ情報生成装置、電子カルテ情報生成方法、および電子カルテ情報生成プログラムを提供する。
2008068914.tif 000002
【特許請求の範囲】
【請求項１】
医療行為ごとの詳細情報である複数の医療行為情報と、前記医療行為情報により構成された患者ごとのカルテ情報とを記憶するように構成した記憶部と、
診療計画に関する情報と実施行為に関する情報とをそれぞれ入力するように構成した入力部と、
前記入力部から入力された診療計画に関する情報および実施行為に関する情報を取得して、この診療計画に関する情報または実施行為に関する情報に対応する医療行為情報およびカルテ情報を前記記憶部から取得するように構成した電子カルテ情報取得部と、
前記電子カルテ情報取得部で取得された、前記診療計画に関する情報および前記実施行為に関する情報と、前記医療行為情報と、前記カルテ情報とに基づいて表示画面情報を作成するように構成した表示画面情報生成部と、
を備えることを特徴とする電子カルテ情報生成装置。
【請求項２】
前記表示画面情報生成部で生成された表示画面情報を表示するように構成した表示部を有する
ことを特徴とする請求項１に記載の電子カルテ情報生成装置。
【請求項３】
前記入力部から入力された診療計画に関する情報および実施行為に関する情報は、前記記憶部の該当する患者のカルテ情報に追加して記憶される
ことを特徴とする請求項１または２に記載の電子カルテ情報生成装置。
【請求項４】
前記医療行為は投与または注射する薬剤の処方であり、
前記入力部からは、前記診療計画に関する情報としての薬剤の診療計画管理用処方および前記実施行為に関する情報としての物流管理用処方を入力する
ことを特徴とする請求項１〜３いずれか１項に記載の電子カルテ情報生成装置。
【請求項５】
前記薬剤の診療計画管理処方は、予め設定された薬剤の各服用時間が示されたパターンから選択されることにより入力される
ことを特徴とする請求項４に記載の電子カルテ情報生成装置。
【請求項６】
前記記憶部に記憶される医療行為情報は、当該装置が使用される医療機関で扱われている情報およびこの医療機関以外で扱われている情報を含む
ことを特徴とする請求項１〜５いずれか１項に記載の電子カルテ情報生成装置。
【請求項７】
電子カルテ情報取得部で取得された前記診療計画に関する情報は、取得後に前記入力部から入力された情報および既に実行された前記実施行為に関する情報の内容に基づいて更新される
ことを特徴とする請求項１〜６いずれか１項に記載の電子カルテ情報生成装置。
【請求項８】
医療行為ごとの詳細情報である複数の医療行為情報と、前記医療行為情報により構成された患者ごとのカルテ情報とを記憶する記憶ステップと、
診療計画に関する情報と実施行為に関する情報とをそれぞれ入力する入力ステップと、
入力された前記診療計画に関する情報および前記実施行為に関する情報を取得して、この診療計画に関する情報または実施行為に関する情報に対応する医療行為情報およびカルテ情報を前記記憶ステップで記憶した情報から取得する電子カルテ情報取得ステップと、
前記電子カルテ情報取得ステップで取得された、前記診療計画に関する情報および前記実施行為に関する情報と、前記医療行為情報と、前記カルテ情報とに基づいて表示画面情報を作成する表示画面情報生成ステップと、
を備えることを特徴とする電子カルテ情報生成方法。
【請求項９】
前記表示画面情報生成ステップで生成された表示画面情報を表示する表示ステップを有する
ことを特徴とする請求項８に記載の電子カルテ情報生成方法。
【請求項１０】
前記入力ステップで入力された診療計画に関する情報および実施行為に関する情報が、前記記憶ステップで記憶された中の該当する患者のカルテ情報に追加して記憶される追加記憶ステップを有する
ことを特徴とする請求項８または９に記載の電子カルテ情報生成方法。
【請求項１１】
前記医療行為は投与または注射する薬剤の処方であり、
前記入力ステップにおいては、前記診療計画に関する情報としての薬剤の診療計画管理用処方および前記実施行為に関する情報としての物流管理用処方を入力する
ことを特徴とする請求項８〜１０いずれか１項に記載の電子カルテ情報生成方法。
【請求項１２】
前記薬剤の診療計画管理処方は、予め設定された薬剤の各服用時間が示されたパターンから選択されることにより入力される
ことを特徴とする請求項１１に記載の電子カルテ情報生成方法。
【請求項１３】
前記記憶ステップで記憶される医療行為情報は、当該方法が使用される医療機関で扱われている情報およびこの医療機関以外で扱われている情報を含む
ことを特徴とする請求項８〜１２いずれか１項に記載の電子カルテ情報生成方法。
【請求項１４】
電子カルテ情報取得ステップにおいて取得された前記診療計画に関する情報は、取得後の前記入力ステップにおいて入力される情報および既に実行された前記実施行為に関する情報の内容に基づいて更新される
ことを特徴とする請求項８〜１３いずれか１項に記載の電子カルテ情報生成方法。
【請求項１５】
電子カルテ情報生成装置に、
医療行為ごとの詳細情報である複数の医療行為情報と、前記医療行為情報により構成された患者ごとのカルテ情報とを記憶する記憶ステップと、
診療計画に関する情報と実施行為に関する情報とをそれぞれ入力する入力ステップと、
入力された前記診療計画に関する情報および前記実施行為に関する情報を取得して、この診療計画に関する情報または実施行為に関する情報に対応する医療行為情報およびカルテ情報を前記記憶ステップで記憶した情報から取得する電子カルテ情報取得ステップと、
前記電子カルテ情報取得ステップで取得された、前記診療計画に関する情報および前記実施行為に関する情報と、前記医療行為情報と、前記カルテ情報とに基づいて表示画面情報を作成する表示画面情報生成ステップと、
を実行させるための電子カルテ情報生成プログラム。
【請求項１６】
前記表示画面情報生成ステップで生成された表示画面情報を表示する表示ステップを有する
ことを特徴とする請求項１５に記載の電子カルテ情報生成プログラム。
【請求項１７】
前記入力ステップで入力された診療計画に関する情報および実施行為に関する情報が、前記記憶ステップで記憶された中の該当する患者のカルテ情報に追加して記憶される追加記憶ステップを有する
ことを特徴とする請求項１５または１６に記載の電子カルテ情報生成プログラム。
【請求項１８】
前記医療行為は投与または注射する薬剤の処方であり、
前記入力ステップにおいては、前記診療計画に関する情報としての薬剤の診療計画管理用処方および前記実施行為に関する情報としての物流管理用処方を入力する
ことを特徴とする請求項１５〜１７いずれか１項に記載の電子カルテ情報生成プログラム。
【請求項１９】
前記薬剤の診療計画管理処方は、予め設定された薬剤の各服用時間が示されたパターンから選択されることにより入力される
ことを特徴とする請求項１８に記載の電子カルテ情報生成方法。
【請求項２０】
前記記憶ステップで記憶される医療行為情報は、当該方法が使用される医療機関で扱われている情報およびこの医療機関以外で扱われている情報を含む
ことを特徴とする請求項１５〜１９いずれか１項に記載の電子カルテ情報生成プログラム。
【請求項２１】
電子カルテ情報取得ステップにおいて取得された前記診療計画に関する情報は、取得後の前記入力ステップにおいて入力される情報および既に実行された前記実施行為に関する情報の内容に基づいて更新される
ことを特徴とする請求項１５〜２０いずれか１項に記載の電子カルテ情報生成方法。
【発明の詳細な説明】
【技術分野】
【０００１】
本発明は、電子カルテの情報を生成するための電子カルテ情報生成装置、電子カルテ情報生成方法、および電子カルテ情報生成プログラムに関する。
【背景技術】
【０００２】
医療分野において、患者の診療に関する情報や処方した薬の情報などは医師によりカルテに記録されており、処方箋はこのカルテに記載された情報に基づいて作成される。【０００３】
近年普及してきている電子カルテにおいては、特開２００３−３３７８５８号公報に示す技術のように、医師により入力された情報を外部の薬局などの端末に送信することにより薬局に薬剤処方をダイレクトにオーダーするなど、電子カルテに入力された情報を様々な医療行為に利用することが可能である。【０００４】
従来の電子カルテを利用した医療行為の流れを、図３０に示す。【０００５】
従来は、医師の思考において、診療計画の立案（Ｓ３１）、物品伝票内容の立案（Ｓ３２）、および、実施手順の立案（Ｓ３３）が行われると、これらは個別に詳細に記録されず、物品伝票内容のみが電子カルテなどの電子情報システムに入力されていた。【０００６】
そして、この電子カルテなどの電子情報システムに入力された内容から処方箋などの物品伝票が作成されて（Ｓ３４）必要物品の購入や請求に用いられることにより（Ｓ３５）、物品が搬送されて確保され（Ｓ３６）、検査や治療などの医療行為で用いられていた（Ｓ３７）。【０００７】
このように入力された電子カルテの情報が利用されることにより、医師が処方箋を作成する手間を省くことができるとともに、薬局において迅速に薬剤処方オーダーを受信できるために患者が薬を受け取るまでの時間を低減させることができるという利点がある。
【発明の開示】
【０００８】
しかし、従来の電子カルテにおいては、医師の思考において立案された診療計画、物品伝票内容、および、実施手順は個別に詳細に記録されず、例えば、カルテ上では「明日よりプレドニゾロンを３錠に増量」と記載されていても、翌日のカルテには増量したことやその結果について記載されていないことがあった。
【０００９】
また、物品伝票内容が入力されることにより診療計画として代用され、診療計画の詳細はメモ等として記録されるのみであり、患者の症状に基づいて診療計画において処方された薬の情報と、実際に処方箋で処方された薬の情報とが異なる場合にも、カルテ上には処方箋で処方された薬の情報しか記録されていなかった。
【００１０】
例えば、内服を計画したプレドニゾロンは患者の所持分を利用することになったときに、実際には所定期間に患者が所定量の薬を服用するにも関わらず、電子カルテに何も入力されない場合や、追加処方する必要がある分の薬量のみしか入力されない場合があった。
【００１１】
このような電子カルテの情報では診療計画に沿った処方がなされているかどうかを確認し難く、また診療内容を見落としやすいため、医療現場においては診療計画として立てられた薬の処方等の情報と、処方箋等の物品購入伝票類の情報とを区別して記録し管理することが必要であった。
【００１２】
さらに、従来の電子カルテにおいて、入力する医薬品を選択するためのデータベースの情報は処方箋により物品購入伝票として利用することを目的として作成されているため院内で採用されている医薬品の情報しか格納されてなく、他の医療機関から転院してきた患者の過去の診療経過を詳細に入力することができなかった。そのため、他の医療機関から転院してきた患者の過去の診療経過を考慮した診療計画を立てることができないという問題があった。
【００１３】
よって本発明の目的は、診療計画の情報と実際の医療行為の実施に関する情報とを区別して管理することができる電子カルテ情報生成装置、電子カルテ情報生成方法、および電子カルテ情報生成プログラムを提供することである。
【００１４】
また、本発明の他の目的は、他の医療機関における診療経過を考慮した診療計画を生成することができる電子カルテ情報生成装置、電子カルテ情報生成方法、および電子カルテ情報生成プログラムを提供することである。
【００１５】
上記目的を達成するための本発明の請求項１に記載の電子カルテ情報生成装置は、医療行為ごとの詳細情報である複数の医療行為情報と、前記医療行為情報により構成された患者ごとのカルテ情報とを記憶するように構成した記憶部と、診療計画に関する情報と実施行為に関する情報とをそれぞれ入力するように構成した入力部と、前記入力部から入力された診療計画に関する情報および実施行為に関する情報を取得して、この診療計画に関する情報または実施行為に関する情報に対応する医療行為情報およびカルテ情報を前記記憶部から取得するように構成した電子カルテ情報取得部と、前記電子カルテ情報取得部で取得された、前記診療計画に関する情報および前記実施行為に関する情報と、前記医療行為情報と、前記カルテ情報とに基づいて表示画面情報を作成するように構成した表示画面情報生成部とを備えることを特徴とする。
【００１６】
また、請求項２は請求項１に記載の電子カルテ情報生成装置であり、前記表示画面情報生成部で生成された表示画面情報を表示するように構成した表示部を有することを特徴とする。
【００１７】
また、請求項３は請求項１または２に記載の電子カルテ情報生成装置であり、前記入力部から入力された診療計画に関する情報および実施行為に関する情報は、前記記憶部の該当する患者のカルテ情報に追加して記憶されることを特徴とする。
【００１８】
また、請求項４は請求項１〜３いずれか１項に記載の電子カルテ情報生成装置であり、前記医療行為は投与または注射する薬剤の処方であり、前記入力部からは、前記診療計画に関する情報としての薬剤の診療計画管理用処方および前記実施行為に関する情報としての物流管理用処方を入力することを特徴とする。
【００１９】
また、請求項５は請求項４に記載の電子カルテ情報生成装置であり、前記薬剤の診療計画管理処方は、予め設定された薬剤の各服用時間が示されたパターンから選択されることにより入力されることを特徴とする。
【００２０】
また、請求項６は請求項１〜５いずれか１項に記載の電子カルテ情報生成装置であり、前記記憶部に記憶される医療行為情報は、当該装置が使用される医療機関で扱われている情報およびこの医療機関以外で扱われている情報を含むことを特徴とする。
【００２１】
また、請求項７は請求項１〜６いずれか１項に記載の電子カルテ情報生成装置であり、電子カルテ情報取得部で取得された前記診療計画に関する情報は、取得後に前記入力部から入力された情報および既に実行された前記実施行為に関する情報の内容に基づいて更新されることを特徴とする。
【００２２】
また、請求項８に記載の電子カルテ情報生成方法は、医療行為ごとの詳細情報である複数の医療行為情報と、前記医療行為情報により構成された患者ごとのカルテ情報とを記憶する記憶ステップと、診療計画に関する情報と実施行為に関する情報とをそれぞれ入力する入力ステップと、入力された前記診療計画に関する情報および前記実施行為に関する情報を取得して、この診療計画に関する情報または実施行為に関する情報に対応する医療行為情報およびカルテ情報を前記記憶ステップで記憶した情報から取得する電子カルテ情報取得ステップと、前記電子カルテ情報取得ステップで取得された、前記診療計画に関する情報および前記実施行為に関する情報と、前記医療行為情報と、前記カルテ情報とに基づいて表示画面情報を作成する表示画面情報生成ステップとを備えることを特徴とする。
【００２３】
また、請求項９は請求項８に記載の電子カルテ情報生成方法であり、前記表示画面情報生成ステップで生成された表示画面情報を表示する表示ステップを有することを特徴とする。
【００２４】
また、請求項１０は請求項８または９に記載の電子カルテ情報生成方法であり、前記入力ステップで入力された診療計画に関する情報および実施行為に関する情報が、前記記憶ステップで記憶された中の該当する患者のカルテ情報に追加して記憶される追加記憶ステップを有することを特徴とする。
【００２５】
また、請求項１１は請求項８〜１０いずれか１項に記載の電子カルテ情報生成方法であり、前記医療行為は投与または注射する薬剤の処方であり、前記入力ステップにおいては、前記診療計画に関する情報としての薬剤の診療計画管理用処方および前記実施行為に関する情報としての物流管理用処方を入力することを特徴とする。
【００２６】
また、請求項１２は請求項１１に記載の電子カルテ情報生成方法であり、前記薬剤の診療計画管理処方は、予め設定された薬剤の各服用時間が示されたパターンから選択されることにより入力されることを特徴とする。
【００２７】
また、請求項１３は請求項８〜１２いずれか１項に記載の電子カルテ情報生成方法であり、前記記憶ステップで記憶される医療行為情報は、当該方法が使用される医療機関で扱われている情報およびこの医療機関以外で扱われている情報を含むことを特徴とする。
【００２８】
また、請求項１４は請求項８〜１３いずれか１項に記載の電子カルテ情報生成方法であり、電子カルテ情報取得ステップにおいて取得された前記診療計画に関する情報は、取得後の前記入力ステップにおいて入力される情報および既に実行された前記実施行為に関する情報の内容に基づいて更新されることを特徴とする。
【００２９】
また、請求項１５に記載の電子カルテ情報生成プログラムは、電子カルテ情報生成装置に、医療行為ごとの詳細情報である複数の医療行為情報と、前記医療行為情報により構成された患者ごとのカルテ情報とを記憶する記憶ステップと、診療計画に関する情報と実施行為に関する情報とをそれぞれ入力する入力ステップと、入力された前記診療計画に関する情報および前記実施行為に関する情報を取得して、この診療計画に関する情報または実施行為に関する情報に対応する医療行為情報およびカルテ情報を前記記憶ステップで記憶した情報から取得する電子カルテ情報取得ステップと、前記電子カルテ情報取得ステップで取得された、前記診療計画に関する情報および前記実施行為に関する情報と、前記医療行為情報と、前記カルテ情報とに基づいて表示画面情報を作成する表示画面情報生成ステップとを実行させることを特徴とする。
【００３０】
また、請求項１６は請求項１５に記載の電子カルテ情報生成プログラムであり、前記表示画面情報生成ステップで生成された表示画面情報を表示する表示ステップを有することを特徴とする。
【００３１】
また、請求項１７は請求項１５または１６に記載の電子カルテ情報生成プログラムであり、前記入力ステップで入力された診療計画に関する情報および実施行為に関する情報が、前記記憶ステップで記憶された中の該当する患者のカルテ情報に追加して記憶される追加記憶ステップを有することを特徴とする。
【００３２】
また、請求項１８は請求項１５〜１７いずれか１項に記載の電子カルテ情報生成プログラムであり、前記医療行為は投与または注射する薬剤の処方であり、前記入力ステップにおいては、前記診療計画に関する情報としての薬剤の診療計画管理用処方および前記実施行為に関する情報としての物流管理用処方を入力することを特徴とする。
【００３３】
また、請求項１９は請求項１８に記載の電子カルテ情報生成方法であり、前記薬剤の診療計画管理処方は、予め設定された薬剤の各服用時間が示されたパターンから選択されることにより入力されることを特徴とする。
【００３４】
また、請求項２０は請求項１５〜１９いずれか１項に記載の電子カルテ情報生成プログラムであり、前記記憶ステップで記憶される医療行為情報は、当該方法が使用される医療機関で扱われている情報およびこの医療機関以外で扱われている情報を含むことを特徴とする。
【００３５】
また、請求項２１は請求項１５〜２０いずれか１項に記載の電子カルテ情報生成方法であり、電子カルテ情報取得ステップにおいて取得された前記診療計画に関する情報は、取得後の前記入力ステップにおいて入力される情報および既に実行された前記実施行為に関する情報の内容に基づいて更新されることを特徴とする。
【００３６】
よって本発明の電子カルテ情報生成装置、電子カルテ情報生成方法、および電子カルテ情報生成プログラムによれば、診療計画の情報と実際の医療行為の実施に関する情報とを明確に区別して管理することができる。
【００３７】
また、本発明の電子カルテ情報生成装置、電子カルテ情報生成方法、および電子カルテ情報生成プログラムによれば、他の医療機関における診療経過を考慮した診療計画を生成することができる。
【図面の簡単な説明】
【００３８】
【図１】本発明の第１実施形態および第３実施形態による電子カルテ情報生成装置としての電子カルテ情報表示装置の構成を示すブロック図である。
【図２】本発明の第１実施形態および第３実施形態による電子カルテ情報生成装置としての電子カルテ情報生成装置で利用されるＣＯＡの構造を示す説明図である。
【図３】本発明の第１実施形態および第３実施形態による電子カルテ情報生成装置としての電子カルテ情報表示装置で表示される時間軸上におけるＣＯＡの情報の位置を示す説明図である。
【図４】本発明の第１実施形態および第３実施形態による電子カルテ情報生成装置としての電子カルテ情報表示装置の動作を示すフローチャートである。
【図５】本発明の第１実施形態による電子カルテ情報生成装置としての電子カルテ情報表示装置で表示される画面構成の一例である。
【図６】本発明の第１実施形態による電子カルテ情報生成装置としての電子カルテ情報表示装置で表示される画面構成の一例である。
【図７】本発明の第１実施形態による電子カルテ情報生成装置としての電子カルテ情報表示装置で表示される画面構成の一例である。
【図８】本発明の第１実施形態による電子カルテ情報生成装置としての電子カルテ情報表示装置で管理される薬量の相関関係を示す説明図である。
【図９】本発明の第１実施形態による電子カルテ情報生成装置としての電子カルテ情報表示装置で表示される画面構成の一例である。
【図１０】本発明の第１実施形態による電子カルテ情報生成装置としての電子カルテ情報表示装置で表示される画面構成の一例である。
【図１１】本発明の第２実施形態による電子カルテ情報生成装置としての電子カルテ情報表示装置で表示される処方入力画面の画面構成の一例である。
【図１２】本発明の第２実施形態による電子カルテ情報生成装置としての電子カルテ情報表示装置で表示される処方入力画面の画面構成の一例である。
【図１３】本発明の第２実施形態による電子カルテ情報生成装置としての電子カルテ情報表示装置で表示される処方入力画面の画面構成の一例である。
【図１４】本発明の第２実施形態による電子カルテ情報生成装置としての電子カルテ情報表示装置で表示される処方入力画面の画面構成の一例である。
【図１５】本発明の第２実施形態による電子カルテ情報生成装置としての電子カルテ情報表示装置で表示される処方入力画面の画面構成の一例である。
【図１６】本発明の第２実施形態による電子カルテ情報生成装置としての電子カルテ情報表示装置で表示される処方入力画面の画面構成の一例である。
【図１７】本発明の第２実施形態による電子カルテ情報生成装置としての電子カルテ情報表示装置で表示される処方入力画面の画面構成の一例である。
【図１８】本発明の第２実施形態による電子カルテ情報生成装置としての電子カルテ情報表示装置で表示される処方入力画面の画面構成の一例である。
【図１９】本発明の第２実施形態による電子カルテ情報生成装置としての電子カルテ情報表示装置で表示される処方入力画面の画面構成の一例である。
【図２０】本発明の第２実施形態による電子カルテ情報生成装置としての電子カルテ情報表示装置で表示される処方入力画面の画面構成の一例である。
【図２１】本発明の第２実施形態による電子カルテ情報生成装置としての電子カルテ情報表示装置で表示される処方入力画面の画面構成の一例である。
【図２２】本発明の第２実施形態による電子カルテ情報生成装置としての電子カルテ情報表示装置で表示される処方入力画面の画面構成の一例である。
【図２３】本発明の第２実施形態による電子カルテ情報生成装置としての電子カルテ情報表示装置で表示される処方入力画面の画面構成の一例である。
【図２４】本発明の第３実施形態による電子カルテ情報生成装置としての電子カルテ情報表示装置で管理される情報間の関係を示す論理である。
【図２５】本発明の第３実施形態による電子カルテ情報生成装置としての電子カルテ情報表示装置で表示される画面構成の一例である。
【図２６】本発明の第３実施形態による電子カルテ情報生成装置としての電子カルテ情報表示装置で表示される画面構成の一例である。
【図２７】本発明の第３実施形態による電子カルテ情報生成装置としての電子カルテ情報表示装置で表示される画面構成の一例である。
【図２８】本発明の第３実施形態による電子カルテ情報生成装置としての電子カルテ情報表示装置で表示される画面構成の一例である。
【図２９】本発明の第３実施形態による電子カルテ情報生成装置としての電子カルテ情報表示装置で表示される画面構成の一例である。
【図３０】従来の電子カルテ情報表示装置の動作を示すフローチャートである。
【発明を実施するための最良の形態】
【００３９】
《第１実施形態》
〈第１実施形態による電子カルテ情報表示装置の構成〉
本発明の第１実施形態による電子カルテ情報生成装置としての電子カルテ情報表示装置の構成について、図１〜図３を参照して説明する。【００４０】
本実施形態による電子カルテ情報表示装置１は、入力部１１と、記憶部１２と、電子カルテ情報取得部１３と、表示画面情報生成部１４と、表示部１５とを有する。【００４１】
入力部１１は、ユーザである医師により操作されるものであり、マウス、スタイラスペン、キーボードなどである。【００４２】
この入力部１１は、医師の操作により診療計画に関する情報および実施行為に関する情報を取得する。【００４３】
記憶部１２は、予め入力された種々の医療行為に関する詳細情報を格納するＣＯＡ情報記憶部１２ａ、および、医師により既に入力された患者ごとの診療に関する情報である電子カルテ情報を記録する電子カルテ情報記憶部１２ｂを有する。【００４４】
ＣＯＡ情報記憶部１２ａに格納される医療行為に関する情報について説明する。【００４５】
本実施形態においては、表示する様々な種類の医療行為、例えば種々の薬の投与等を個々に「アクト」として定義し管理している。【００４６】
そして、これらの個々のアクトはその行為の核心となる情報（Core of Act、以下「ＣＯＡ」とする。）を有する。このＣＯＡの中にはそれぞれ自己のアクト、例えば各薬の投与に関する量、速度、単位、力価、科学知識やノウハウなどが格納されている。このＣＯＡの中にはそれぞれ時間軸を基にして定義された自己の行為に関する情報、および他の行為との関係等が格納されている。【００４７】
アクトの種類としては、「観察」、「処方」、「注射」、「給食」等があり、これらには例えば「注射」を行ってから所定の時間経過後に「観察」しなければならない等の時間軸に基づく他の医療行為と関係する情報が個々にある。【００４８】
医療行為以外の情報、例えば「症状」の情報なども、「観察」というアクトに基づいて発生するＣＯＡであり、これらの情報（症状）は「観察」のＣＯＡとして保持される。つまり、すべての医療情報は何らかの医療行為（アクト）のＣＯＡとして保持される。【００４９】
このような考えに基づき、本実施形態の電子カルテ情報表示装置においては、電子カルテという時間軸を既に持ったデータ構造の中に、さらに個々に時間軸に基づく情報を持ったＣＯＡを入力して表示させ、精度の高い医療情報の提供を支援する。【００５０】
−ＣＯＡの構成−
本発明において利用される各ＣＯＡを構成する情報について、図２を参照して説明する。【００５１】
各ＣＯＡは、（１）アクト情報層１００と、（２）アクト動作層２００と、（３）出力層３００と、（４）管理層４００とを有する。【００５２】
（１）アクト情報層１００
アクト情報層１００は、自己のアクトに関する情報である自行為情報としての（ｉ）自己アクト情報１１０と、他のＣＯＡとリンクするための情報であるリンケージ情報としての（ii）リンケージアクト情報１２０とを有する。【００５３】
（ｉ）自己アクト情報１１０
自己アクト情報１１０はさらに、自行為特性情報としての自己アクト特性１１１と自行為論理情報としての自己アクト論理１１２とを有し、自己アクト特性１１１には、自己のアクトの名称１１１ａ（正式名称、別称、仮名称など）、分類１１１ｂ（大分類、中分類、小分類など）、関連ＩＤ１１１ｃ（名称１１１ａに対応し他のＣＯＡとリンクするための識別ＩＤ）、知識１１１ｄ（自己のアクトに関する量、速度、単位、科学知識やノウハウなど）が格納されている。【００５４】
分類１１１ｂの例としては、大分類として「動作アクト」、「論理上アクト」があり、「動作アクト」の中分類として「観察アクト」、「介入アクト」がある。また、「観察アクト」の小分類として「病歴」、「症状」、「所見」などがあり、「介入アクト」の小分類として「検体検査」、「画像検査」、「生理検査」、「処方」、「注射」、「処置」、「入退院」、「給食」などがある。また、「論理上アクト」の小分類として、「検査結果の組み合わせによるデータ生成」、「処方箋；物伝票の生成」などがある。【００５５】
自己アクト論理１１２には、自己のアクトを実行する際の量の算出方法、投与量の適正範囲、症状の評価方法、単位の換算、表示方法などの情報が格納されている。【００５６】
（ii）リンケージアクト情報１２０
リンケージアクト情報１２０は、リンケージアクト特性１２１とリンケージアクト論理１２２とを有し、リンケージアクト特性１２１には、他のＣＯＡとリンクされることにより適用する従属的・排他的行為の内容、適用時間、適用範囲などの情報が時間軸情報に基づいて格納され、リンケージアクト論理１２２には、リンケージアクト特性１２１の情報に基づいて他のＣＯＡとリンクする際の論理和、論理積等による条件式、論理フローなどが格納されている。【００５７】
（２）アクト動作層２００
アクト動作層２００には、自己アクト論理１１２およびリンケージアクト論理１２２に基づいて処理を実行する際の動作間の論理制御情報、例えば実行順序や条件式などが格納されている。【００５８】
（３）出力層３００
出力層３００には、自己のＣＯＡの動作に関する状態３００ａ（想定、計画、実施決定、準備、実施、結果など）、評価３００ｂ（成功、失敗など）、成果３００ｃ（観察結果、実施結果、図形化、伝票・処方箋生成など）、他のＣＯＡに対する介入３００ｄなどの情報が格納されている。【００５９】
（４）管理層４００
管理層４００には、各ＣＯＡを管理するための管理ＩＤ群４００ａと、管理名称４００ｂと、各ＣＯＡを著作物とする著作権４００ｃと、著作日時、更新日時などの版情報４００ｄとが格納されている。【００６０】
各ＣＯＡの時間軸上における情報の適用範囲を図３に示す。ＣＯＡはそれぞれ複数のリンケージアクト情報１２０を有することが可能であり、図３のＣＯＡにおいてはリンケージアクト情報１２０−１〜１２０−３の３つのリンケージアクトを有する。【００６１】
図３において、リンケージアクト情報１２０−１は自己アクト情報１１０による医療行為実行後所定時間経過後から適用される情報であり、リンケージアクト情報１２０−２は自己アクト情報１１０による医療行為実行と同時に適用される情報であり、リンケージアクト情報１２０−３は自己アクト情報１１０による医療行為終了時から適用される情報である。【００６２】
電子カルテ情報取得部１３は、入力部１１から入力された診療計画に関する情報および実施行為に関する情報を取得して、これらの情報に対応するＣＯＡ情報および電子カルテ情報をＣＯＡ情報記憶部１２ａおよび電子カルテ情報記憶部１２ｂから取得する。【００６３】
また、電子カルテ情報取得部１３は、取得したＣＯＡ情報記憶部１２ａおよび電子カルテ情報記憶部１２ｂに関する更新情報を入力部１１から取得したときは、更新された内容をＣＯＡ情報記憶部１２ａまたは電子カルテ情報記憶部１２ｂに書き込む。【００６４】
本実施形態においては、電子カルテ情報に薬の投与に関する情報を入力するものとし、薬剤の情報は診療経過における状態に応じて以下のように分類して扱われる。【００６５】
（１）      用薬：治療計画において実際に薬剤を患者に使用、投与すること
（２）      配薬：使用、投与ないしは常備のために薬剤を患者に渡すこと
（３）      調薬：使用、投与する薬剤を使用しやすいように、分割、混合、形状変更などを行うこと
（４）      備薬：治療計画外で、常備する目的で患者が薬剤を保持すること
（５）      棄薬：製剤単位との関係で、薬剤を使用せずに部分廃棄すること
（６）      失薬：使用、常備のために渡されている薬剤を患者が紛失すること
（７）      復薬：紛失や破棄した薬剤を再度利用可能とすること
上記の「失薬」の概念は、原則として通常は情報として利用しないものであり、より詳細な設定を必要とするときに利用する。【００６６】
また、「棄薬」は配薬の際に不要となったものを廃棄することを意味し、持ち越して次回に利用する場合は備薬として処理する。【００６７】
表示画面情報生成部１４は、電子カルテ情報取得部１３で取得された診療計画に関する情報および実施行為に関する情報と、ＣＯＡ情報と、電子カルテ情報とに基づいて表示画面情報を生成する。【００６８】
表示部１５は、表示画面情報生成部１４で生成された表示画面情報を表示するものであり、ディスプレイなどである。【００６９】
〈第１実施形態による電子カルテ情報表示装置の動作〉
以下に、第１実施形態による電子カルテ情報表示装置１を利用して薬の処方情報を表示するときの動作を図４〜図１０を参照して詳細に説明する。【００７０】
図４のフローチャートに示すように、まず、医師の思考において診療計画が立案されると（Ｓ１）、電子カルテ情報表示装置１の入力部１１から医師の操作により該当する患者の電子カルテ情報の取得指示が入力され、この取得指示に従って電子カルテ情報取得部１３において電子カルテ情報記憶部１２ｂから電子カルテ情報が取得される。【００７１】
電子カルテ情報取得部１３において取得された電子カルテ情報は、表示画面情報生成部１４において表示部１５に表示させるための表示画面情報が生成され、表示部１５に表示される。【００７２】
所望の患者の電子カルテ情報が表示部１５に表示されると、表示された電子カルテ情報にさらに医師の操作により入力部１１から今回の薬の処方計画が入力される。【００７３】
薬の処方計画が入力される際は、まず、今回用薬される薬剤の薬剤名およびこれらの薬剤の服用の開始日時、１日あたりの用薬回数、および用薬期間が入力される。【００７４】
薬剤名が入力される際の処理について説明する。【００７５】
薬剤名が入力される方法には、（ａ）これまでに選択された薬剤を選択頻度順に列記した頻用薬リストの中から所望の薬剤名が選択される方法、（ｂ）あらかじめ作成された薬剤情報をもつデータベースから所望の薬剤名がキーワード検索により選択される方法、または（ｃ）あらかじめユーザである医師が生成した薬剤リストの中から所望の薬剤名が選択される方法、などがある。【００７６】
（ａ）の方法では、入力部１１から医師の操作により頻用薬リストの表示要求が入力されると、電子カルテ情報取得部１３においてＣＯＡ情報記憶部１２ａからこれまでに選択された薬剤名が選択頻度の高い順に所定数取得され、取得された薬剤名が用いられて表示画面情報生成部１４において頻用薬リストが自動生成される。【００７７】
作成された頻用薬リストは表示部１５に表示され、医師により表示された頻用薬リストから薬剤名が選択されることにより、電子カルテ情報に所望の薬剤名が入力される。【００７８】
また、（ｂ）の方法で用いられるデータベースは、この電子カルテ情報表示装置１を使用する当該医療機関内で採用されている医薬品のみならず、他の医療機関でも使用されているすべての医療品の情報が格納されているデータベースである。【００７９】
他の医療機関で使用されている医療品の情報も含めることで、他の医療機関で診療を受けていた患者が転院してきたときに、前の医療機関で受けていた診療内容を示すＣＯＡも入力することができ、医師は入力されたＣＯＡの情報を確認するとともにリンケージアクトの情報を確認し、過去の診療経過を考慮した適切な診療計画を立てることができる。【００８０】
（ｂ）の方法で検索されたデータベースの情報が表示されたときの画面表示図の一例を図５に示す。【００８１】
図５の画面左部が患者の電子カルテ情報であり、画面右部が選択されたデータベースの情報を表示するパレットである。【００８２】
図５のパレットにおいては、「アレルギー」をキーワードとして入力して検索することによりデータベースから該当する９つの薬剤が抽出されて表示された状態を示す。【００８３】
また、（ｂ）の方法で用いられるキーワード検索のためのキーワードは手書き文字認識、キーボード入力、バーコード入力、または音声入力などにより入力され、薬剤名（商品名または一般名）、各薬剤を識別するための薬剤コード、適応症、薬効などのすべての医薬品情報を検索対象として検索が行われる。【００８４】
そして検索の結果抽出された中から所望の薬剤名が選択されることにより、電子カルテ情報に所望の薬剤が入力される。【００８５】
検索の結果抽出された薬剤名が表示されるとき、また入力された薬剤名が電子カルテ上で表示されるとき、当該医療機関で採用されている医薬品は他の医療機関でのみ使用されている医薬品と区別するために文字色を変更したりフラグをたてたりするなどの目印をつけることで用薬として選択可能であるか否かを識別しやすいようにしてもよい。【００８６】
また、検索の結果抽出された薬剤名が表示されるとき、抽出結果として、当該医療機関で採用されている医薬品を他の医療機関でのみ使用されている医薬品よりも先に表示することにより、用薬として選択可能な薬剤名を識別しやすいようにしてもよい。【００８７】
本実施形態においては、今回用薬される薬剤の商品名として、「ミカルディス（日本ベーリンガーインゲルハイム株式会社製）」、「ロンゲス（塩野義製薬株式会社製）」、「ジスロマック（ファイザー製薬株式会社製）」、「ムコダイン（杏林製薬株式会社製）」の４種類が入力される。【００８８】
さらにこれらの入力された薬剤の用薬の開始日時、１日あたりの用薬回数・用薬時間、および用薬期間が入力される。【００８９】
本実施形態においては、「ミカルディス」および「ロンゲス」は開始日時が「１１月４日朝食後」、１日あたりの用薬回数が「１回（朝食後）」、用薬期間が「２８日間」と入力され、「ジスロマック」は開始日時が「１１月４日朝食後」、１日あたりの用薬回数が「１回（朝食後）」、用薬期間が「３日間」と入力され、「ムコダイン」は開始日時が「１１月４日朝食後」、１日あたりの用薬回数が「３回（毎食後）」、用薬期間が７日間と入力される。【００９０】
これらの入力された情報は電子カルテ情報取得部１３で取得され、表示画面情報生成部１４において表示画面情報が生成される。【００９１】
表示画面情報生成部１４で取得された情報に基づいて生成された表示画面情報は、図６に示すように表示部１５に表示される。【００９２】
次に、電子カルテ情報取得部１３で取得された用薬される薬剤「ミカルディス」、「ロンゲス」、「ジスロマック」、「ムコダイン」の医学情報として、各薬剤の一般名、１錠あたりの商品力価、用薬における力価（以下、「用薬力価」と称する）が記憶部１２のＣＯＡ情報記憶部１２ａから取得される。【００９３】
本実施形態においては、「ミカルディス」の医学情報である一般名「テルミサルタン」、１錠あたりの商品力価「２０ｍｇ／錠」、用薬力価「４０ｍｇ」と、「ロンゲス」の医学情報である一般名「リシノプリル」、１錠あたりの商品力価「５ｍｇ／錠」、用薬力価「５ｍｇ」と、「ジスロマック」の医学情報である一般名「アジスロマイシン」、１錠あたりの商品力価「２５０ｍｇ／錠」、用薬力価「５００ｍｇ」と、「ムコダイン」の医学情報である一般名「カルボシステイン」、１錠あたりの商品力価「５００ｍｇ／錠」、用薬力価「１５００ｍｇ」とがＣＯＡ情報記憶部１２ａから取得される。【００９４】
これらの電子カルテ情報取得部１３で取得された情報は表示画面情報生成部１４に送出される。【００９５】
表示画面情報生成部１４では、これらの情報が電子カルテ情報取得部１３から取得されると、入力された開始日時、１日あたりの用薬回数、および用薬期間から終了日時が算出される。【００９６】
本実施形態においては、「ミカルディス」および「ロンゲス」は開始日時が「１１月４日朝食後」であり、１日あたりの用薬回数が「１回（朝食後）」であり、用薬期間が「２８日間」であることから、終了日時は「１２月１日朝食後」であると算出され、「ジスロマック」は開始日時が「１１月４日朝食後」であり、１日あたりの用薬回数が「１回（朝食後）」であり、用薬期間が「３日間」であることから、終了日時は「１１月６日朝食後」であると算出され、「ムコダイン」は開始日時が「１１月４日朝食後」であり、１日あたりの用薬回数が「３回（毎食後）」であり、用薬期間が「７日間」であることから、終了日時は「１１月１０日夕食後」であると算出される。【００９７】
次に、表示画面情報生成部１４において、取得した情報の中の商品力価および用薬力価から、１回当たりの用薬量（錠数）が算出される。【００９８】
本実施形態においては、「ミカルディス」は商品力価が「２０ｍｇ／錠」であり用薬力価が「４０ｍｇ」であることから１日あたりの用薬量は「２錠」であると算出され、「ロンゲス」は商品力価が「５ｍｇ／錠」であり用薬力価が「５ｍｇ」であることから１日あたりの用薬量は「１錠」であると算出され、「ジスロマック」は商品力価が「２５０ｍｇ／錠」であり用薬力価が「５００ｍｇ」であることから１日あたりの用薬量は「２錠」であると算出され、「ムコダイン」は商品力価が「５００ｍｇ／錠」であり用薬力価が「１５００ｍｇ」であることから１日あたりの用薬量は「３錠」であると算出される。【００９９】
さらに、表示画面情報生成部１４において、取得された用薬期間および算出された１日あたりの用薬量から、用薬期間における総用薬量（錠）が算出される。【０１００】
本実施形態においては、「ミカルディス」の用薬期間は「２８日間」であり、１日あたりの用薬量は「２錠」であることから、用薬期間における総用薬量は「５６錠」であり、「ロンゲス」の用薬期間は「２８日間」であり、１日あたりの用薬量は「１錠」であることから、用薬期間における総用薬量は「２８錠」であり、「ジスロマック」の用薬期間は「３日間」であり、１日あたりの用薬量は「２錠」であることから、用薬期間における総用薬量は「６錠」であり、「ムコダイン」の用薬期間は「７日間」であり、１日あたりの用薬量は「３錠」であることから、用薬期間における総用薬量は「２１錠」であると算出される。【０１０１】
表示画面情報生成部１４では、これらの算出された情報から表示画面情報が生成され、図７に示すように表示部１５に表示される。【０１０２】
図７において、下線で示す部分が、入力された情報から表示画面情報生成部１４において新たに算出され、図３の状態から追加された情報である。【０１０３】
以上の処理により、図７に表示されるような診療計画の詳細を示す診療計画データが作成される（Ｓ２）。【０１０４】
次に、医薬品等の物品伝票内容を作成する（Ｓ３）ため、医師の操作により入力部１１から、今回の処方時から次回の処方時までの間に患者に備薬させる各薬剤の量である新備薬量の錠数が入力される。【０１０５】
本実施形態においては、新備薬量として、「ミカルディス」は「６錠」、「ロンゲス」は「３錠」、「ジスロマック」は「０錠」、「ムコダイン」は「２８錠」が入力される。【０１０６】
これらの入力された情報は電子カルテ情報取得部１３で取得され、表示画面情報生成部１４に送出される。【０１０７】
表示画面情報生成部１４では、これらの情報が電子カルテ情報取得部１３から取得されると、取得された各薬剤の新備薬量と、既に算出された１日あたりの用薬量とから、各薬剤の新備薬量が服用日数に換算される。【０１０８】
このとき、新備薬量の服用日数は、錠数が１日分に到達しない端数は切り下げて換算される。【０１０９】
本実施形態においては、「ミカルディス」は１日あたりの用薬量は「２錠」であり、新備薬量は「６錠」であることから、新備薬量の服用日数は「３日分」であると換算され、「ロンゲス」は１日あたりの用薬量は「１錠」であり、新備薬量は「３錠」であることから、新備薬量の服用日数は「３日分」であると換算され、「ジスロマック」は１日あたりの用薬量は「２錠」であり、新備薬量は「０錠」であることから、新備薬量の服用日数は「０日分」であると換算され、「ムコダイン」は１日あたりの用薬量は「３錠」であり、新備薬量は「２８錠」であることから、新備薬量の服用日数は「９日分」であると換算される。【０１１０】
さらに、医師の操作により入力部１１から、現在患者の手元に備薬されている各薬剤の量である現備薬量の錠数が入力される。【０１１１】
本実施形態においては、新備薬量として、「ミカルディス」は「３３錠」、「ロンゲス」は「１９錠」、「ジスロマック」は「０錠」、「ムコダイン」は「４９錠」が入力される。【０１１２】
これらの入力された情報は電子カルテ情報取得部１３で取得され、表示画面情報生成部１４に送出される。【０１１３】
表示画面情報生成部１４では、これらの情報が電子カルテ情報取得部１３から取得されると、取得された各薬剤の現備薬量と、既に算出された１日あたりの用薬量とから、各薬剤の現備薬量が服用日数に換算される。【０１１４】
このとき、現備薬量の服用日数は、錠数が１日分に到達しない端数は切り下げて換算される。【０１１５】
本実施形態においては、「ミカルディス」は１日あたりの用薬量は「２錠」であり、現備薬量は「３３錠」であることから、現備薬量の服用日数は「１６日分」であると換算され、「ロンゲス」は１日あたりの用薬量は「１錠」であり、現備薬量は「１９錠」であることから、現備薬量の服用日数は「１９日分」であると換算され、「ジスロマック」は１日あたりの用薬量は「２錠」であり、現備薬量は「０錠」であることから、現備薬量の服用日数は「０日分」であると換算され、「ムコダイン」は１日あたりの用薬量は「３錠」であり、現備薬量は「４９錠」であることから、現備薬量の服用日数は「１６日分」であると換算される。【０１１６】
さらに、表示画面情報生成部１４では、算出された用薬期間における総用薬量と、新備薬量と、現備薬量と、１日あたりの用薬量とから、実際に患者に配薬する薬量の配薬期間に換算した日数が算出される。【０１１７】
このとき、配薬期間の換算日数は、錠数が１日分に到達しない端数は切り下げて算出される。【０１１８】
この配薬期間に換算した日数を算出する際の、各薬量の相関関係を図８を参照して説明する。【０１１９】
図８において、前回配薬され服用されなかった備薬量Ts0に、前回各薬剤が配薬されてから今回配薬が行われるまでの間に紛失していたと思われた薬剤が見つかり患者の手元で備薬として復活した現備薬量（復活）R0の加算、および備薬していたが紛失した失薬量（紛失）L0の差し引きが行われた薬量が現備薬量S0であり、今回配薬する総配薬量T1は、今回算出された用薬する薬量C1から現備薬量S0を差し引いた配薬量と今回新備薬として入力された新備薬量との和（Tc1+Ts1）になる。【０１２０】
また同様に、今回配薬され服用されなかった備薬量Ts1に、今回各薬剤が配薬されてから次回配薬が行われるまでの間に紛失していたと思われた薬剤が見つかり患者の手元で備薬として復活した現備薬量（復活）R1の加算、および備薬していたが紛失した失薬量（紛失）L1の差し引きが行われた薬量が次回配薬時における現備薬量S1であり、次回配薬する総配薬量T2は、次回算出される用薬する薬量C1から現備薬量S1を差し引いた薬量と次回新備薬として入力される新備薬量との和（Tc2+Ts2）になる。【０１２１】
すなわち、ｎ回目の配薬時における、総配薬量T(n)と、用薬量から現備薬量が差し引かれた配薬量Tc(n)と、新備薬Ts(n)との関係は下記式（１）で表される。【０１２２】
〔数１〕
総配薬量T(n)＝配薬量Tc(n)+ 新備薬Ts(n)・・・（１）
また、ｎ回目の配薬時における、用薬量C(n)と、用薬量から現備薬量が差し引かれた配薬量Tc(n)と、前回配薬され手元に備薬されている現備薬量S(n-1)との関係は下記式（２）で表される。【０１２３】
〔数２〕
用薬量C(n)＝配薬量Tc(n)+ 現備薬量S(n-1)・・・（２）
また、ｎ回目の配薬時における、現備薬量S(n-1)と、前回の新備薬量Ts(n-1)と、前回の配薬から今回の配薬までの間の現備薬量（復活）R(n-1)および失薬量（紛失）L(n-1)との関係は下記式（３）で表される。【０１２４】
〔数３〕
現備薬量S(n-1)＝前回の新備薬量Ts(n-1)+ 現備薬量（復活）R(n-1)- 失薬量（紛失）L(n-1)
・・・（３）
上記式（１）〜（３）により、用薬量から現備薬量が差し引かれた配薬量Tc(n)は、以下に式（４）のように表される。【０１２５】
〔数４〕
配薬量Tc(n)＝用薬量C(n)- 現備薬量S(n-1)
＝用薬量C(n)- [前回の新備薬量Ts(n-1)+ 現備薬量（復活）R(n-1)- 失薬量（紛失）L(n-1)]
＝用薬量C(n)- 前回の新備薬量Ts(n-1)- 現備薬量（復活）R(n-1)+ 失薬量（紛失）L(n-1)・・・（４）
これらのうち、用薬量C(n)、前回の新備薬量Ts(n-1)、現備薬量（復活）R(n-1)、および失薬量（紛失）L(n-1)は、入力部１１入力されることにより電子カルテ情報取得部１３を経由して表示画面情報生成部１４で取得されるものあり、現備薬量S(n-1)は表示画面情報生成部１４で算出されるかまたは入力部１１から入力されることにより表示画面情報生成部１４で取得されるものである。【０１２６】
そのため、上記式（１）〜（４）の関係から、ｎ回目の総配薬量T(n)は、(n-1)回目の現備薬量が算出される場合は式（５）で表され、(n-1)回目の備薬量が直接入力される場合は式（６）で表される。【０１２７】
〔数５〕
総配薬量T(n)＝新備薬Ts(n)+ 用薬量C(n)- 前回の新備薬量Ts(n-1)- 現備薬量（復活）R(n-1)+ 失薬量（紛失）L(n-1)・・・（５）
総配薬量T(n)＝新備薬Ts(n)+ 用薬量C(n)- 現備薬量S(n-1)・・・（６）
本実施形態においては、現備薬量は入力部１１から入力されることにより電子カルテ情報取得部１３を経由して表示画面情報生成部１４で取得されており、「ミカルディス」の総配薬量は、用薬期間における総用薬量「５６錠」に新備薬量「６錠」を加算した薬量「６２錠」から現備薬量「３３錠」を差し引いた錠数「２９錠」であり、１日あたりの用薬量は「２錠」であるため配薬期間は「１５日分」であると換算され、「ロンゲス」の総配薬量は、用薬期間における総用薬量「２８錠」に新備薬量「３錠」を加算した薬量「３１錠」から現備薬量「１９錠」を差し引いた錠数「１２錠」であり、１日あたりの用薬量は「１錠」であるため配薬期間は「１２日分」であると換算され、「ジスロマック」の総配薬量は、用薬期間における総用薬量「６錠」に新備薬量「０錠」を加算した薬量「６錠」から現備薬量「０錠」を差し引いた錠数「６錠」であり、１日あたりの用薬量は「２錠」であるため配薬期間は「３日分」であると換算され、「ムコダイン」の総配薬量は、用薬期間における総用薬量「２１錠」に新備薬量「２８錠」を加算した薬量「４９錠」から現備薬量「４９錠」を差し引いた錠数「０錠」であるためすべて現備薬量で充足され、配薬期間は「０日分」であると換算される。【０１２８】
このようにして、総配薬量は総用薬量と新備薬量と現備薬量とから算出されるため、総配薬量を変更すると新備薬量が再計算されて変更され、新備薬量を変更すると総配薬量が再計算されて変更される。【０１２９】
さらに、表示画面情報生成部１４では、算出された用薬期間における総用薬量に対する配薬量に相当する量と備薬量に相当する量が算出されるとともに、これらの相当量に対する力価が算出される。【０１３０】
表示画面情報生成部１４では、これらの算出された情報から表示画面情報が生成され、図９に示すように医薬品等の物品伝票内容に関する情報を含む全情報が表示部１５に表示される。【０１３１】
図９において、下線で示す部分が、入力された情報から表示画面情報生成部１４において新たに算出され、図７の状態から追加された情報である。【０１３２】
次に、医師の操作による入力部１１から処方箋などの物品伝票の作成要求が入力され電子カルテ情報取得部１３で取得されると、表示画面情報生成部１４において図９で表示された全情報の中から抽出された商品名、配薬量、１日あたりの服用回数、および配薬期間の情報を用いて、処方箋などの物品伝票を表示する画面表示情報が作成される（Ｓ４）。【０１３３】
表示画面情報生成部１４において作成された処方箋などの物品伝票の画面表示情報は、図１０のように表示部１５に表示される。【０１３４】
図１０の処方箋においては、物品購入のために必要な情報のみが表示されるため、現備薬量からすべて充足される「ムコダイン」は全く表示されない。【０１３５】
図１０に表示された処方箋の情報は、医薬品等の物品の請求に利用される（Ｓ５）。【０１３６】
ステップＳ５において処方箋を用いて請求された医薬品等の物品は物品搬送により確保される（Ｓ６）。【０１３７】
また、ステップＳ２において作成された診療計画データに基づいて医師により医薬品混合や投与経路等の診療手順が立案され（Ｓ７）、入力部１１により診療手順としての検査や治療の手順が入力され（Ｓ８）、電子カルテ情報取得部１３に送出される。【０１３８】
電子カルテ情報取得部１３で取得された診療手順の情報は表示画面情報生成部１４に送出されて表示画面情報が生成され、表示部１５に表示される。【０１３９】
そして、ステップＳ６で確保された医薬品等を用いるとともに、表示部１５に表示された診療手順の情報を利用し、医師により医療行為が実施される（Ｓ９）。【０１４０】
上記において、電子カルテ情報取得部１３で入力部１１から取得された情報、および表示画面情報生成部１４で生成された情報は、すべて記憶部１２の電子カルテ情報記憶部１２ｂに記憶される。【０１４１】
以上の本実施形態の電子カルテ情報表示装置によれば、従来は医師の思考で立案されていたのみであった診療計画自体である薬剤の用薬期間や用薬量等の情報、患者の手元に備薬されており今回の配薬に充当する薬剤量の情報、新たに備薬する薬剤量の情報が電子カルテ情報に明確に区別して記録および表示されるため、正確な診療計画を管理することができるとともに、処方箋等の物品伝票がどの診療計画に基づいて作成されたかを明確に管理することができる。【０１４２】
また、診療に関する情報を入力する際に、他の医療機関でのみ利用されている医療情報を含んだデータベースを用いて入力処理を行うため、他の医療機関から転院してきた患者に対して他の医療機関における診療経過を考慮した診療計画を立て入力することができる。【０１４３】
また、本実施形態においては、用薬の開始日時および用薬期間を入力してこれらから終了日時を算出するようにしたが、これには限定されず、開始日時と終了日時から用薬期間を算出するかまたは用薬期間と終了日時から開始日時を算出するようにしてもよい。【０１４４】
《第２実施形態》
〈第２実施形態による電子カルテ情報表示装置の構成〉
本発明の第２実施形態による電子カルテ生成装置としての電子カルテ情報表示装置の構成は、第１実施形態の電子カルテ表示装置の構成と同様であるため、詳細な説明は省略する。【０１４５】
〈第２実施形態による電子カルテ情報表示装置の動作〉
以下に、第２実施形態による電子カルテ情報表示装置１を利用して薬の処方情報を表示するときの動作を、図４および図１１〜図２２を参照して詳細に説明する。【０１４６】
図４のフローチャートに示すように、まず、医師の思考において診療計画が立案されると（Ｓ１）、第１実施形態と同様に、電子カルテ情報表示装置１の入力部１１から医師の操作により該当する患者の電子カルテ情報の取得指示が入力され、この取得指示に従って電子カルテ情報取得部１３において電子カルテ情報記憶部１２ｂから電子カルテ情報が取得される。【０１４７】
電子カルテ情報取得部１３において取得された電子カルテ情報は、表示画面情報生成部１４において表示部１５に表示させるための表示画面情報が生成され、表示部１５に表示される。【０１４８】
所望の患者の電子カルテ情報が表示部１５に表示されると、表示された電子カルテ情報にさらに医師の操作により入力部１１から診療計画データとして薬の処方計画データが入力される（Ｓ２）。【０１４９】
薬の処方計画データが入力される際の、用薬される薬剤名の入力処理については第１実施形態と同様であるため詳細な説明は省略する。【０１５０】
次に、入力された薬剤の用薬の開始日時、および用薬期間が入力され、さらに１日あたりの用薬回数、および用薬時間が入力される。【０１５１】
この１日あたりの用薬回数、および用薬時間が入力されるときの処理について図１１〜２２の処方入力画面２０を参照して説明する。【０１５２】
１日あたりの用薬回数、および用薬時間が入力される際には、まず処方入力画面２０が起動される。【０１５３】
図１１は、「連日  １日４回  朝食後、昼食後、１６時３０分、就寝前に１回あたり２錠ずつゾビラックス錠２００（グラクソ・スミスクライン株式会社製）を服用する」という内容の処方計画が入力されたときの処方入力画面２０を示す画面表示図である。【０１５４】
この処方入力画面２０には、入力処方表示エリア２１と、処方サイクル選択エリア２２と、服用時選択エリア２３と、服用時毎詳細表示エリア２４とを有する。【０１５５】
入力処方表示エリア２１は、既に入力された薬剤名２１１と、この薬剤名に基づいて記憶部１２のＣＯＡ情報記憶部１２ａから取得された用薬力価２１２と、この用薬力価２１２に基づいて算出された１日あたりの用薬量（錠数等）２１３と、この１日あたりの用薬量を１日あたりの服用回数で均等に分割するかまたは不均等に分割するかを示す分割指定ボタン２１４とが表示される。分割指定ボタン２１４は、初期設定では「均等」に設定されている。【０１５６】
ここでは、薬剤名として商品名「ゾビラックス錠２００」が入力されており、この薬剤名が入力されたことによりこの薬剤の用薬力価「１６００ｍｇ」が取得され、さらにこの用薬力価から算出された１日あたりの用薬量「８錠」が表示される。【０１５７】
次に、処方サイクル選択エリア２２において、処方サイクルが日サイクル２２１、週サイクル２２２、月サイクル２２３から選択される。【０１５８】
ここでは日サイクル２２１が選択され、さらに日サイクルの詳細項目２２１ａに表示された「連日」、「隔日」、「３日毎」、「４日毎」、「５日毎」・・・の中から「連日」が選択されたものとする。【０１５９】
次に、服用時選択エリア２３において、１日あたりの用薬量を複数回に分けて定時に服用するように処方するための「常用」ボタン２３１、頓服薬として１回で服用するように処方するための「頓用」ボタン２３２、１日あたりの用薬量を複数回に分けて一定時間毎に服用するように処方するための「時間」ボタン２３３から、所望の服用方法が選択される。【０１６０】
ここでは、「常用」ボタン２３１が選択され、さらにこの「常用」の服用時間を指定するための服用時パターン２３４ａとして表示された「起床時」、「早朝空腹時」、「朝食前」、「朝」、「朝食後」、「朝昼間」、「昼食前」、「昼」、「昼食後」、「おやつ時」、「昼夕間」、「夕食前」、「夕」、「夕食後」、「夕朝間」、「就寝前」、「適時」の中から、「朝食後」、「昼食後」および「就寝前」が選択されたものとする。【０１６１】
これらの服用時パターン２３４ａの中から服用時間が選択されると、選択された服用時選択エリア２３内の各服用時間の表示に紐付けされて、服用時毎詳細表示エリア２４に服用時毎の詳細情報である用薬量、用薬力価、服用時間等が表示される。【０１６２】
ここでは、服用時パターン２３４ａの中の「朝食後」に紐付けされた詳細情報２４１と、「昼食後」に紐付けされた詳細情報２４２と、「就寝前」に紐付けされた詳細情報２４４とが服用時毎詳細表示エリア２４に表示されている。【０１６３】
これらの詳細情報の服用時間には、パターンごとに予め設定された時間が表示されており、「朝食後」の服用時間２４１ａは「８時」に設定され、「昼食後」の服用時間２４２ａは「１３時」に設定され、「就寝前」の服用時間２４４ａは「２３時」に設定され表示されている。【０１６４】
この服用時選択エリア２３の服用時パターン２３４ａに表示された服用時間以外の時間を指定したいときには、服用時毎詳細表示エリア２４において所望の服用時間を指定した詳細情報を作成することが可能であり、ここでは、服用時間として直接「１６：３０」が服用時間２４３ａに入力された詳細表示２４３が作成され表示されている。このように、服用時間が直接指定され確定された詳細表示２４３は、服用時パターン２３４ａには紐付けされない。【０１６５】
このようにして１日あたりの服用回数が指定され、図１１においては服用回数が４回に指定され確定される。【０１６６】
また図１１においては、入力処方表示エリア２１の分割指定ボタン２１４において１日あたりの用薬量の分割方法が「均等」に設定されているため、１日あたりの用薬力価２１２に表示されている「１６００ｍｇ」が４回に均等に分割され１回あたりの用薬力価が「４００ｍｇ」であると算出され、各服用時の詳細表示２４１〜２４４の１回あたりの用薬力価２４１ｂ〜２４４ｂにそれぞれ表示される。また、１日あたりの用薬量２１３に表示されている「８錠」が４回に均等に分割され１回あたりの用薬量が「２錠」であると算出され、各服用時の詳細表示２４１〜２４４の１回あたりの用薬量２４１ｃ〜２４４ｃにそれぞれ表示される。【０１６７】
これらの表示が確定されることにより、入力処方表示エリア２１の処方情報２１５に１日あたりの服用回数が４回であることを示す「分４」と、各服用時間である「朝食後」、「昼食後」、「１６時３０分」、「就寝前」とが表示される。【０１６８】
また、服用時毎詳細表示エリア２４に表示された、リンケージアクトを編集する画面を展開させるための展開ボタン２４１ｄ、自動処方量を編集する画面を展開させるための展開ボタン２４１ｅ、該当する詳細情報を削除するための削除ボタン２４１ｆにより、入力された処方計画データが操作されることも可能である。【０１６９】
以上の処理により、「連日  １日４回  朝食後、昼食後、１６時３０分、就寝前に１回あたり２錠ずつゾビラックス錠２００を服用する」という内容の処方が入力される。【０１７０】
次に、図１２は「毎週月曜日  １日４回  朝食後、昼食後、１６時３０分、就寝前に１回あたり２錠ずつゾビラックス錠２００を服用する」という内容の処方計画が入力されたときの処方入力画面２０を示す画面表示図である。【０１７１】
ここでは、処方入力画面２０の処方サイクル選択エリア２２において週サイクル２２２が選択されている。【０１７２】
処方サイクル選択エリア２２において週サイクル２２２が選択されると、週内における服用曜日を指定するための曜日指定欄２２２ａと、週サイクルの詳細内容を指定するための詳細項目欄２２２ｂが表示され、ここでは曜日指定欄２２２ａの中から「月」が選択され、詳細項目欄２２２ｂに表示された「毎週」、「隔週」、「３週毎」、「４週毎」、「５週毎」、「６週毎」、「７週毎」、「８週毎」の中から「毎週」が選択されているものとする。【０１７３】
処方サイクル選択エリア２２の表示を除いては、図１１と同様であるため詳細な説明は省略する。【０１７４】
以上の処理により、「毎週月曜日  １日４回  朝食後、昼食後、１６時３０分、就寝前に１回あたり２錠ずつゾビラックス錠２００を服用する」という内容の処方が入力される。【０１７５】
次に、図１３は「毎月１日  １日４回  朝食後、昼食後、１６時３０分、就寝前に１回あたり２錠ずつゾビラックス錠２００を服用する」という内容の処方計画が入力されたときの処方入力画面２０を示す画面表示図である。【０１７６】
ここでは、処方入力画面２０の処方サイクル選択エリア２２において月サイクル２２３が選択されている。【０１７７】
処方サイクル選択エリア２２において月サイクル２２３が選択されると、月内における日指定による服用日を選択するための日指定ボタン２２３ａ、および月内における週曜日指定による服用日を選択するための週曜日指定ボタン２２３ｂとが表示され、ここでは日指定ボタン２２３ａが選択されたことにより日指定欄２２３ｃが表示されている。【０１７８】
さらに、月サイクルの詳細内容を指定するための詳細項目欄２２３ｄが表示され、ここでは日指定欄２２３ａの中から「１日」が選択され、詳細項目欄２２３ｄに表示された「毎月」、「隔月」、「３ヶ月毎」、「４ヶ月毎」、「５ヶ月毎」、「６ヶ月毎」、「７ヶ月毎」、「８ヶ月毎」、「９ヶ月毎」、「１０ヶ月毎」・・・の中から「毎月」が選択されているものとする。【０１７９】
処方サイクル選択エリア２２の表示を除いては、図１１と同様であるため詳細な説明は省略する。【０１８０】
以上の処理により、「毎月１日  １日４回  朝食後、昼食後、１６時３０分、就寝前に１回あたり２錠ずつゾビラックス錠２００を服用する」という内容の処方が入力される。【０１８１】
次に、図１４は「毎月第１月曜日  １日４回  朝食後、昼食後、１６時３０分、就寝前に１回あたり２錠ずつゾビラックス錠２００を服用する」という内容の処方計画が入力されたときの処方入力画面２０を示す画面表示図である。【０１８２】
ここでは、処方入力画面２０の処方サイクル選択エリア２２において月サイクル２２３が選択されている。【０１８３】
処方サイクル選択エリア２２において月サイクル２２３が選択されると、月内における日指定による服用日を選択するための日指定ボタン２２３ａ、および月内における週曜日指定による服用日を選択するための週曜日指定ボタン２２３ｂとが表示され、ここでは週曜日指定ボタン２２３ｂが選択されたことにより週曜日指定欄２２３ｅが表示されている。【０１８４】
さらに、月サイクルの詳細内容を指定するための詳細項目欄２２３ｄが表示され、ここでは週曜日指定欄２２３ｅの中から「第１月曜日」が選択され、詳細項目欄２２３ｄに表示された「毎月」、「隔月」、「３ヶ月毎」、「４ヶ月毎」、「５ヶ月毎」、「６ヶ月毎」、「７ヶ月毎」、「８ヶ月毎」、「９ヶ月毎」、「１０ヶ月毎」・・・の中から「毎月」が選択されているものとする。【０１８５】
処方サイクル選択エリア２２の表示を除いては、図１１と同様であるため詳細な説明は省略する。【０１８６】
以上の処理により、「毎月第１月曜日  １日４回  朝食後、昼食後、１６時３０分、就寝前に１回あたり２錠ずつゾビラックス錠２００を服用する」という内容の処方が入力される。【０１８７】
次に、図１５は、「１日２錠を限度に、頭痛時に１回あたり１錠バファリン（ライオン株式会社製）を服用する」という内容の処方計画が入力されたときの処方入力画面２０を示す画面表示図である。【０１８８】
図１５の入力処方表示エリア２１には、薬剤名として商品名「バファリン８１ｍｇ錠」が入力されている。【０１８９】
次に、服用時選択エリア２３において「頓用」ボタン２３２が選択され、さらにこの「頓用」の服用時パターン２３４ｂとして表示された「発熱時服用」、「疼痛時服用」、「発作時服用」、「嘔吐時服用」、「便秘時服用」、「不眠時服用」、「腰痛時服用」、「頭痛時服用」、「不安時服用」、「下痢時服用」、「咳がひどい時服用」、「（頓服）分１、朝食後服用」、「（頓服）分２、朝・夕食後服用」、「高血圧時服用」、「胸やけのする時服用」、「食欲不振時服用」、「いらいらする時服用」、「めまいのする時服用」、「ふらつきの強い時服用」、「かゆい時に服用」、「嘔気時服用」、「頻尿時服用」、「夜半不眠時服用」の中から、「頭痛時服用」が選択されたものとする。【０１９０】
これらの服用時パターン２３４ｂの中から服用時が選択されると、選択された服用時選択エリア２３内の各服用時の表示に紐付けされて、服用時毎詳細表示エリア２４に服用時毎の詳細情報である用薬量、用薬力価、服用時間等が表示される。【０１９１】
ここでは、１日あたりの服用回数を２回とするため、「頭痛時服用」が２回選択されることによりこの「頭痛時服用」に紐付けされた２つの詳細情報２４５および２４６が服用時毎詳細表示エリア２４に表示される。【０１９２】
また、この「バファリン８１ｍｇ錠」の１回あたりの用薬量「１錠」と、用薬力価「８１ｍｇ」が記憶部１２のＣＯＡ情報記憶部１２ａから取得され、詳細情報２４５および２４６の用薬量２４５ｃ、２４６ｃおよび用薬力価２４５ｂ、２４６ｂに表示される。ここでは、「頓用」の処方であるため、服用時間は指定されない。【０１９３】
また、服用回数が２回に指定されたことから、１日あたりの用薬量が「２錠」であると算出されて入力処方表示エリア２１の１日あたりの用薬量２１３に表示され、さらに１日あたりの用薬力価が「１６２ｍｇ」であると算出されて入力処方表示エリア２１の１日あたりの用薬力価２１２に表示される。【０１９４】
これらの表示が確定されることにより、入力処方表示エリア２１の処方情報２１５に１日あたりの服用回数が２回であることを示す「分２」と、各服用時を示す「頭痛時服用」とが表示される。【０１９５】
以上の処理により、「１日２錠を限度に、頭痛時に１回あたり１錠バファリンを服用する」という内容の処方が入力される。【０１９６】
次に、図１６は、「１日３回  ８時間毎に１回あたり１錠のバファリン８１ｍｇ錠を服用する」という内容の処方が入力されたときの処方入力画面２０を示す画面表示図である。【０１９７】
図１６の入力処方表示エリア２１には、薬剤名として商品名「バファリン８１ｍｇ錠」が入力されている。【０１９８】
次に、服用時選択エリア２３において「時間」ボタン２３３が選択され、さらにこの「時間」の服用時パターン２３４ｃとして表示された「１２時間毎」、「８時間毎」、「６時間毎」、「４．８時間毎」、「４時間毎」、「３時間毎」、「２時間毎」、「１時間毎」、「３０分毎」の中から「８時間毎」が選択される。【０１９９】
これらの服用時パターン２３４ｂの中から服用時が選択されると、選択された服用時選択エリア２３内の各服用時の表示に紐付けされて、服用時毎詳細表示エリア２４に服用時毎の詳細情報である用薬量、用薬力価、服用時間等が表示される。【０２００】
ここでは、「８時間毎」に服用することから、１日あたりの服用回数が３回であると算出され、服用時パターン２３４ｂの「８時間毎」に紐付けされた３つの詳細情報２４７、２４８、２４９が服用時毎詳細表示エリア２４に表示される。【０２０１】
また、この「バファリン８１ｍｇ錠」の１回あたりの用薬量「１錠」と、用薬力価「８１ｍｇ」が記憶部１２のＣＯＡ情報記憶部１２ａから取得され、詳細情報２４７〜２４９の用薬量２４７ｃ〜２４９ｃおよび用薬力価２４７ｂ〜２４９ｂに表示される。ここでは、「頓用」の処方であるため、服用時間は指定されない。【０２０２】
また、服用回数が３回であることから、１日あたりの用薬量が「３錠」であると算出されて入力処方表示エリア２１の１日あたりの用薬量２１３に表示され、さらに１日あたりの用薬力価が「２４３ｍｇ」であると算出されて入力処方表示エリア２１の１日あたりの用薬力価２１２に表示される。【０２０３】
これらの表示が確定されることにより、入力処方表示エリア２１の処方情報２１５に１日あたりの服用回数が３回であることを示す「分３」と、各服用時を示す「８時間毎」とが表示される。【０２０４】
以上の処理により、「１日３回  ８時間毎に１回あたり１錠のバファリン８１ｍｇ錠を服用する」という内容の処方が入力される。【０２０５】
次に図１１のように入力された「連日  １日４回  朝食後、昼食後、１６時３０分、就寝前に１回あたり２錠ずつゾビラックス錠２００を服用する」の処方内容を変更するときの処理について図１７を参照して説明する。【０２０６】
図１７は、４回の服用時のうち、「朝食後」と「１６時３０分」の２回の用薬量２４１ｃ、２４３ｃが「２錠」から「１錠」に変更された場合の画面表示図である。【０２０７】
このように変更されると４回の服用時の用薬量が均等でなくなるため、詳細表示入力処方表示エリア２１の分割指定ボタン２１４が「不均等」に変更され、さらに入力処方表示エリア２１に表示されている１日あたりの用薬量が６錠に変更され１日あたりの用薬力価が１２００ｍｇに変更される。【０２０８】
また図１８は、「連日  １日３回  朝食後は４錠、昼食後は２錠、夕食後は４錠のプレドニン錠５ｍｇ（塩野義製薬株式会社製）を服用する」という内容の処方計画が入力されたときの処方入力画面２０を示す画面表示図である。【０２０９】
図１８においては、服用時選択エリア２３において「常用」ボタン２３１が選択され、さらにこの「常用」の服用時間を指定するための服用時パターン２３４ａとして表示された中から「朝食後」、「昼食後」、「夕食後」が選択されたことにより入力処方表示エリア２１に服用時間として「毎食後服用」と表示される。【０２１０】
また、３回の服用時の用薬量が均等でないため、入力処方表示エリア２１の分割指定ボタン２１４が「不均等」と表示される。【０２１１】
また図１９は、図１８のように入力された処方の、「昼食後」の用薬量を４錠に変更したときの処方入力画面２０を示す画面表示図である。【０２１２】
「昼食後」の用薬量が４錠に変更されたことにより３回の服用時の用薬量が均等になるため、入力処方表示エリア２１の分割指定ボタン２１４が「均等」に変更され表示される。【０２１３】
図２０は、「毎週月曜および木曜の朝食後にアルファロールカプセル０．５μｇ（中外製薬株式会社製）を５錠服用する」という内容の処方計画のうち、月曜日である「2007年4月9日」の処方分が表示された処方入力画面２０を示す画面表示図である。【０２１４】
図２０では、処方サイクル選択エリア２２において週サイクル２２２が選択され、さらに曜日指定欄２２２ａの中から「月」および「木」が選択されている。【０２１５】
また、服用時選択エリア２３において「常用」ボタン２３１が選択され、さらに服用時パターン２３４ａの中から「朝食後」が選択されている。【０２１６】
また、この服用時パターン２３４ａの「朝食後」が選択されたことによりこの「朝食後」に紐付けされて表示された詳細情報２５７の用薬量として「５錠」が入力されている。【０２１７】
入力され表示されたこれらの情報が確定されることにより、入力処方表示エリア２１の処方情報２１５に１日あたりの服用回数が１回であることを示す「分１」と、服用時間である「朝食後」とが表示される。【０２１８】
また図２１は、図２０と同様の「毎週月曜および木曜の朝食後にアルファロールカプセル０．５μｇ（中外製薬株式会社製）を５錠服用する」という内容の処方計画のうち、木曜日である「2007年4月12日」の処方分が表示された処方入力画面２０を示す画面表示図である。【０２１９】
処方の内容は図２０の月曜日の場合と同様であるため、詳細な説明は省略する。【０２２０】
次に図２２は、複数の薬剤の処方が入力され、薬剤別に表示されたときの処方入力画面２０を示す画面表示図である。【０２２１】
図２２は、「連日  １日３回  毎食後に１回あたり１錠のアスベリン錠２０（田辺製薬株式会社製）と、１錠のムコダイン錠５００ｍｇ（杏林製薬株式会社製）と、１錠のぺリアクチン錠４ｍｇ（万有製薬株式会社製）とを服用する」という内容の処方計画が入力され、薬剤ごとに詳細情報が表示されたときの処方入力画面２０を示す画面表示図である。【０２２２】
この図２２では、薬剤別タブ２７が選択されることにより、入力された情報が薬剤ごとに分類されて詳細表示が表示されており、アスベリン錠２０の詳細情報として服用時パターン２４３ａの「朝食後」に紐付けされた詳細情報２５８と、「昼食後」に紐付けされた詳細情報２５９と、「夕食後」に紐付けされた詳細情報２６０とが表示され、ムコダイン錠５００ｍｇの詳細情報として服用時パターン２４３ａの「朝食後」に紐付けされた詳細情報２６１と、「昼食後」に紐付けされた詳細情報２６２と、「夕食後」に紐付けされた詳細情報２６３とが表示され、ペリアクチン錠４ｍｇの詳細情報として服用時パターン２４３ａの「朝食後」に紐付けされた詳細情報２６４と、「昼食後」に紐付けされた詳細情報２６５と、「夕食後」に紐付けされた詳細情報２６６とが表示されている。【０２２３】
また図２３は、図２２と同様の内容の処方が入力され、服用時間別に表示されたときの処方入力画面２０を示す画面表示図である。【０２２４】
図２３では、時間別タブ２８が選択されることにより、入力された情報が服用時間別に分類された詳細表示が表示されており、「朝食後」に服用する薬剤の詳細情報としてアスベリン錠２０の詳細情報２５８と、ムコダイン錠５００ｍｇの詳細情報２６１と、ペリアクチン上４ｍｇの詳細情報２６４が表示され、「昼食後」に服用する薬剤の詳細情報としてアスベリン錠２０の詳細情報２５８と、ムコダイン錠５００ｍｇの詳細情報２６１と、ペリアクチン上４ｍｇの詳細情報２６４が表示され、「夕食後」に服用する薬剤の詳細情報としてアスベリン錠２０の詳細情報２５８と、ムコダイン錠５００ｍｇの詳細情報２６１と、ペリアクチン上４ｍｇの詳細情報２６４が表示されている。【０２２５】
以上のような入力方法が用いられ、薬の処方計画データが入力された後のステップＳ３以降の処理は第１実施形態と同様であるため、詳細な説明は省略する。【０２２６】
以上の本実施形態の電子カルテ情報表示装置によれば、第１実施形態と同様の効果を得ることができるとともに、薬の処方を簡易な操作で入力することができ、特に従来は煩雑であった服用時間の入力処理を簡易に行うことができる。【０２２７】
《第３実施形態》
〈第３実施形態による電子カルテ情報表示装置の構成〉
本発明の第３実施形態による電子カルテ生成装置としての電子カルテ情報表示装置の構成は、第１実施形態の電子カルテ表示装置の構成と同様であるため、詳細な説明は省略する。【０２２８】
〈第３実施形態による電子カルテ情報表示装置の動作〉
以下に、第３実施形態による電子カルテ情報表示装置１を利用して注射の処方情報を表示するときの動作を、図４および図２４〜図３０を参照して詳細に説明する。【０２２９】
図４のフローチャートに示すように、まず、医師に思考において診療計画が立案されると（Ｓ１）、電子カルテ情報表示装置１の入力部１１から医師の操作により該当する患者の電子カルテ情報の取得指示が入力され、この取得指示に従って電子カルテ情報取得部１３において電子カルテ情報記憶部１２ｂから電子カルテ情報が取得される。【０２３０】
電子カルテ情報取得部１３において取得された電子カルテ情報は、表示画面情報生成部１４において表示部１５に表示させるための表示画面情報が生成され、表示部１５に表示される。【０２３１】
所望の患者の電子カルテ情報が表示部１５に表示されると、表示された電子カルテ情報にさらに医師の操作により入力部１１から今回の注射の処方計画が入力される。【０２３２】
注射の処方計画が入力される際の処理を示す論理図を図２４に示す。【０２３３】
注射の処方計画が入力される際は、まず、今回用薬される薬剤の薬剤名が入力され（Ｓ１１）、さらにこれらの薬剤による注射の開始日時、終了日時、および所要時間のうち少なくとも２つが入力され、さらに用薬期間が入力される（Ｓ１２、Ｓ１３、Ｓ１４）。【０２３４】
薬剤名が入力される際の処理は、第１実施形態と同様であるため詳細な説明は省略する。【０２３５】
本実施形態においては、今回用薬される薬剤名として、「生理食塩水」および「大塚糖液５０％（株式会社大塚製薬製）」の２種類が入力される。【０２３６】
さらに、これらの混合薬剤による注射の計画が２回分入力され、１回目の情報として開始日時が「１１月４日１０時００分」、終了日時が「１１月４日１２時００分」、用薬期間が「５日間」と入力され、２回目の情報として開始日時が「１１月４日１２時００分」、終了日時が「１１月４日１４時００分」、用薬期間が「５日間」と入力される。【０２３７】
これらの入力された情報は電子カルテ情報取得部１３で取得された後、表示画面情報生成部１４に送出され、表示画面情報生成部１４において入力された注射の開始日時および所用時間から終了日時が算出される（Ｓ１５）。【０２３８】
本実施形態においては、１回目の注射の開始日時が「１１月４日１０時００分」であり、終了日時が「１１月４日１２時００分」であることから、所要時間は「２時間０分」であると算出され、２回目の注射の開始日時が「１１月４日１２時００分」であり、終了日時が「１１月４日１４時００分」であることから、所要時間は「２時間０分」であると算出される。【０２３９】
次に、医師の操作により入力部１１から薬液速度または力価速度が入力される（Ｓ１６、Ｓ１７）。【０２４０】
ここで、力価速度が入力されたときは、電子カルテ情報取得部１３において記憶部のＣＯＡ情報記憶部１２ａから用薬される薬剤「生理食塩水」および「大塚糖液５０％」の医学情報である薬量に対する相対力価が取得され（Ｓ１８）、この相対力価および入力された力価速度から薬液速度が算出される（Ｓ１９）。【０２４１】
本実施形態においては、１回目の注射の「生理食塩水」の力価速度が「２．２５ｇ／ｈ」、「大塚糖液５０％」の力価速度が「３．７５ｇ／ｈ」と入力され、２回目の注射の「生理食塩水」の力価速度が「１．８ｇ／ｈ」、「大塚糖液５０％」の力価速度が「５．５ｇ／ｈ」と入力される。【０２４２】
また、電子カルテ情報取得部１３において、ＣＯＡ情報記憶部１２ａから「生理食塩水」の相対力価が「０．０９ｇ／ｍｌ」であり、「大塚糖液５０％」の相対力価が「０．５ｇ／ｍｌ」である情報が取得される。【０２４３】
電子カルテ情報取得部１３で入力部１１または記憶部１２から取得された情報は表示画面情報生成部１４に送出され、表示画面情報生成部１４において取得された各薬剤の力価速度および相対力価から、薬液速度が算出される。【０２４４】
本実施形態においては、１回目の注射の「生理食塩水」の力価速度が「２．２５ｇ／ｈ」であり相対力価が「０．０９ｇ／ｍｌ」であることから薬液速度は「２５０ｍｌ／ｈ」と算出され、「大塚糖液５０％」の力価速度が「３．７５ｇ／ｈ」であり相対力価が「０．５ｍｌ／ｍｌ」であることから薬液速度は「７．５ｍｌ／ｈ」と算出される。【０２４５】
また、２回目の注射の「生理食塩水」の力価速度が「１．８ｇ／ｈ」であり相対力価が「０．０９ｇ／ｍｌ」であることから薬液速度は「２００ｍｌ／ｈ」であると算出され、「大塚糖液５０％」の力価速度が「５．５ｇ／ｈ」であり相対力価が「０．５ｍｌ／ｍｌ」であることから薬液速度は「１１ｍｌ／ｈ」であると算出される。【０２４６】
さらに表示画面情報生成部１４において、各回の薬液速度の合計値が算出される。【０２４７】
本実施形態においては１回目の注射は「生理食塩水」の薬液速度が「２５０ｍｌ／ｈ」であり「大塚糖液５０％」の薬液速度が「７．５ｍｌ／ｈ」であることから、薬液速度の合計値は「２５７．５ｍｌ／ｈ」であると算出される。【０２４８】
また、２回目の注射は「生理食塩水」の薬液速度が「２００ｍｌ／ｈ」であり「大塚糖液５０％」の薬液速度が「１１ｍｌ／ｈ」であることから、薬液速度の合計値は「２１１ｍｌ／ｈ」であると算出される。【０２４９】
さらに、表示画面情報生成部１４において、取得された所要時間および算出された薬液速度から、用薬量が算出される（Ｓ２０）。【０２５０】
本実施形態においては、１回目の注射の所要時間が「２時間０分」であり、「生理食塩水」の薬液速度が「２５０ｍｌ／ｈ」であることから用薬量が「５００ｍｌ」であると算出され、「大塚糖液５０％」の薬液速度が「７．５ｍｌ／ｈ」であることから用薬量が「１５ｍｌ」であると算出される。【０２５１】
また、２回目の注射の所要時間が「２時間０分」であり、「生理食塩水」の薬液速度が「２００ｍｌ／ｈ」であることから用薬量が「４００ｍｌ」であると算出され、「大塚糖液５０％」の薬液速度が「１１ｍｌ／ｈ」であることから用薬量が「２２ｍｌ」であると算出される。【０２５２】
さらに表示画面情報生成部１４において、各回の用薬量の合計値が算出される。【０２５３】
本実施形態においては１回目の注射は「生理食塩水」の用薬量が「５００ｍｌ」であり「大塚糖液５０％」の用薬量が「１５ｍｌ」であることから、用薬量の合計値は「５１５ｍｌ」であると算出される。【０２５４】
また、２回目の注射は「生理食塩水」の用薬量が「４００ｍｌ」であり「大塚糖液５０％」の用薬量が「２２ｍｌ」であることから、用薬量の合計値は「４２２ｍｌ」であると算出される。【０２５５】
さらに、表示画面情報生成部１４において、取得された所要時間および入力された力価速度から（Ｓ２１）、用薬力価が算出される（Ｓ２２）。【０２５６】
本実施形態においては、１回目の注射の所要時間が「２時間０分」であり、「生理食塩水」の力価速度が「２．２５ｇ／ｈ」であることから用薬力価が「４．５ｇ」であると算出され、「大塚糖液５０％」の力価速度が「３．７５ｇ／ｈ」であることから用薬力価が「７．５ｇ」であると算出される。【０２５７】
また、２回目の注射の所要時間が「２時間０分」であり、「生理食塩水」の力価速度が「１．８ｇ／ｈ」であることから用薬力価が「３．６ｇ」であると算出され、「大塚糖液５０％」の力価速度が「５．５ｇ／ｈ」であることから用薬力価が「１１ｇ」であると算出される。【０２５８】
さらに、表示画面情報生成部１４において、１日あたりの薬剤の用薬量および用薬力価が算出される。【０２５９】
本実施形態においては、「生理食塩水」の用薬量は１回目の注射が「５００ｍｌ」であり２回目の注射が「４００ｍｌ」であることから、１日あたりの用薬量は「９００ｍｌ」であると算出され、「大塚糖液５０％」の用薬量は１回目の注射が「１５ｍｌ」であり「２回目」の注射が「２２ｍｌ」であることから、１日あたりの用薬量は「３７ｍｌ」であると算出され、１日あたりの注射の総用薬量は「９３７ｍｌ」であると算出される。【０２６０】
また、「生理食塩水」の用薬力価は１回目の注射が「４．５ｇ」であり２回目の注射が「３．６ｇ」であることから、１日あたりの用薬力価は「８．１ｇ」であると算出され、「大塚糖液５０％」の用薬力価は１回目の注射が「７．５ｇ」であり「２回目」の注射が「１１ｇ」であることから、１日あたりの用薬力価は「１８．５ｇ」であると算出される。【０２６１】
これらの算出された情報に基づいて、表示画面情報生成部１４において診療計画データの表示画面情報が生成される（Ｓ２）。【０２６２】
表示画面情報生成部１４で取得された情報に基づいて生成された診療計画データの表示画面情報は、図２５に示すように表示部１５に表示される。【０２６３】
次に、医薬品等の物品伝票内容を作成する（Ｓ３）ため、表示画面情報生成部１４において、電子カルテ情報取得部１３から取得された各薬剤（Ｓ２３）の包装単位および用薬量から、必要な配薬製剤数および棄薬量が算出される（Ｓ２４、Ｓ２５）。【０２６４】
本実施形態においては、１回目の注射の「生理食塩水」の用薬量が「５００ｍｌ」であり包装単位は「５００ｍｌ」であることから配薬製剤数は「１本」であり棄薬量は「０ｍｌ」であると算出され、「大塚糖液５０％」は用薬量が「１５ｍｌ」であり包装単位が「２０ｍｌ」であることから配薬製剤数は「１本」であり棄薬量は「５ｍｌ」であると算出される。【０２６５】
また、２回目の注射の「生理食塩水」の用薬量が「４００ｍｌ」であり包装単位は「５００ｍｌ」であることから配薬製剤数は「１本」であり棄薬量は「１００ｍｌ」であると算出され、「大塚糖液５０％」は用薬量が「２２ｍｌ」であり包装単位が「２０ｍｌ」であることから配薬製剤数は「２本」であり棄薬量は「１８ｍｌ」であると算出される。【０２６６】
さらに、表示画面情報生成部１４において、１日あたりの各薬剤の配薬製剤数および棄薬量が算出される。【０２６７】
本実施形態においては、「生理食塩水」の１回目の配薬製剤数が「１本」、２回目の配薬製剤数が「１本」であることから１日あたりの「生理食塩水」の配薬製剤数は「２本」であると算出され、「大塚糖液５０％」の１回目の配薬製剤数が「１本」、２回目の配薬製剤数が「２本」であることから、１日あたりの「大塚糖液５０％」の配薬製剤数は「３本」であると算出される。【０２６８】
また、「生理食塩水」の１回目の棄薬量が「０ｍｌ」、２回目の棄薬量が「１００ｍｌ」であることから１日あたりの「生理食塩水」の棄薬量は「１００ｍｌ」であると算出され、「大塚糖液５０％」の１回目の棄薬量が「５ｍｌ」、２回目の棄薬量が「１８ｍｌ」であることから、１日あたりの「大塚糖液５０％」の棄薬量は「２３ｍｌ」であると算出される。【０２６９】
これらの算出された情報に基づいて、表示画面情報生成部１４において配薬の情報が追加された診療計画データの表示画面情報が生成される。【０２７０】
表示画面情報生成部１４で取得された情報に基づいて生成された配薬の情報が追加された診療計画データ表示画面情報は、図２６に示すように表示部１５に表示される。【０２７１】
次に、医師による入力部１１の操作により、配薬の情報が調整される（Ｓ２６）。【０２７２】
本実施形態においては、１回目の注射の「大塚糖液５０％」の棄薬量「５ｍｌ」のうち「２ｍｌを備薬」とし、この備薬した分を２回目の注射の「大塚糖液５０％」の用薬量「２２ｍｌ」のうちの「２ｍｌ」として充当するように入力される。【０２７３】
１回目の注射の「大塚糖液５０％」の棄薬量のうち「２ｍｌを備薬に充当」することで、棄薬量は「３ｍｌ」と再計算される。【０２７４】
また、２回目の注射の「大塚糖液５０％」の用薬量「２２ｍｌ」のうち「２ｍｌを備薬から充当」することで配薬量は「２０ｍｌ」となり、配薬製剤数が「１本」、棄薬量が「０ｍｌ」であると再計算される。【０２７５】
さらに、１日あたりの配薬製剤数および棄薬量が再計算され、「大塚糖液５０％」の配薬製剤数が「２本」、棄薬量が「３ｍｌ」であると算出される。【０２７６】
最終的に棄薬量として算出された「生理食塩水」の「１００ｍｌ」および「大塚糖液５０％」の「３ｍｌ」は、棄薬される（Ｓ２７、Ｓ２８）。【０２７７】
次に、医師の操作による入力部１１から注射箋などの物品伝票の作成要求が入力され電子カルテ情報取得部１３で取得されると、表示画面情報生成部１４において図２７で表示された全情報の中から抽出された商品名、各注射の配薬製剤数、１日あたりの配薬製剤数の情報を用いて、注射箋などの物品伝票を表示する画面表示情報が作成される（Ｓ４）。【０２７８】
表示画面情報生成部１４において作成された注射箋などの物品伝票の画面表示情報は、図２８のように表示部１５に表示される。【０２７９】
図２８に表示された注射箋の情報は、医薬品等の物品の請求に利用される（Ｓ５）。【０２８０】
ステップＳ５において注射箋を用いて請求された医薬品等の物品は物品搬送により確保される（Ｓ６）。【０２８１】
また、ステップＳ２において作成された診療計画データに基づいて医師により医薬品混合や投与経路等の診療手順が立案され（Ｓ７）、入力部１１により診療手順としての検査や治療の手順が入力され（Ｓ８）、電子カルテ情報取得部１３に送出される。【０２８２】
本実施形態においては、１回目および２回目の注射の投与経路として、「左手背静脈点滴」が入力される。【０２８３】
電子カルテ情報取得部１３で取得された診療手順の情報は表示画面情報生成部１４に送出されて表示画面情報が生成され、図２９のように表示部１５に表示される。【０２８４】
そして、ステップＳ６で確保された医薬品等を用いるとともに、表示部１５に表示された診療手順の情報を利用し、医師により医療行為が実施される（Ｓ９）。【０２８５】
上記において、電子カルテ情報取得部１３で入力部１１から取得された情報、および表示画面情報生成部１４で生成された情報は、すべて記憶部１２の電子カルテ情報記憶部１２ｂに記憶される。【０２８６】
以上の本実施形態の電子カルテ情報表示装置によれば、従来は医師の思考で立案されていたのみであった薬剤間の充当に関する情報が電子カルテ情報に明確に記録および表示されるため、正確な診療計画を管理することができるとともに、診療計画作成時に物品管理状態も合わせて計画し指示することができる。【０２８７】
また、従来の包装単位に基づいた指示のみでは記録されなかった薬剤の用薬量や棄薬量が診療計画として電子カルテ情報に明確に記録および表示されるため、正確な診療計画を管理することができる。【０２８８】
また、診療計画の作成と医療行為の実施との両方に共通する実施計画時間が容易に記載できるため、医療行為の実施時に診療計画の実施時間が明確に指示可能になる。【０２８９】
上述した薬剤の処方、注射の他の医療行為の中で、診療計画と実施される医療行為との間でずれが生じるおそれがあるものとして以下に挙げる行為がある。【０２９０】
（ａ）検査：診療計画とは異なり、実施される行為には外注・緊急などの種別、検体種別（尿・血液・髄液など）があり、これらは密接に医学的見地と結びついている。【０２９１】
（ｂ）処置：実施の中で注射や処方を伴う場合に、上記実施形態と同様の問題が生じる。【０２９２】
（ｃ）放射線：検査の目的と伝票とは１対１の関係になっており数量上の問題は生じにくいが、検査伝票の集約からくる情報の再整理が問題となる。【０２９３】
これらの行為においても、診療計画そのものと実施される医療行為をそれぞれ記録および表示することにより、正確な医療情報を管理することができる。【０２９４】
また、本実施形態においては、注射の開始日時および所要時間を入力してこれらから終了日時を算出するようにしたが、これには限定されず、開始日時と終了日時から所要時間を算出するかまたは所要時間と終了日時から開始日時を算出するようにしてもよい。【０２９５】
また、第１実施形態〜第３実施形態においては、記憶部は電子カルテ表示情報装置内に設けた構成としたがこれには限定されず、電子カルテ情報取得部および表示情報生成部を有する装置とネットワークを介して接続されたサーバ等の別装置内に設けるようにしてもよい。【０２９６】
このように構成することにより、記憶部内の情報量が膨大になったときにも対応することができる。【０２９７】
なお、上記の第１、第２及び第３の実施形態における電子カルテ情報表示装置１は、これに限定するわけではないが、パーソナルコンピュータ（ＰＣ）により構成され得る。この場合、記憶部１２、電子カルテ情報取得部１３、表示画面情報生成部１４、及び表示部１５が奏する機能をＰＣに実行させるプログラムを作成し、このプログラムをＰＣ上で走らせることにより、本発明の実施である電子カルテ情報の表示等を実施することが可能である。【０２９８】
また、そのようなプログラムが予め記録されたＣＤ（ＣＤ−ＲＷ、ＣＤ−Ｒ）を用いて、そのプログラムをＰＣにダウンロードしてよいことは言うまでもない。記録媒体は、ＣＤに限らず、他の種類の光ディスク（例えばＤＶＤ（デジタル・ビデオ・ディスク）、磁気ディスク、磁気テープ、光テープ、半導体メモリ、カード型のハードディスク等であってもよい。
【産業上の利用の可能性】
【０２９９】
本発明は、医療分野の電子カルテで使用され得る。具体的には、本発明によれば、電子カルテにおける医療情報が適切に管理され表示される。
【図１】
2008068914.tif 000003
【図２】
2008068914.tif 000004
【図３】
2008068914.tif 000005
【図４】
2008068914.tif 000006
【図５】
2008068914.tif 000007
【図６】
2008068914.tif 000008
【図７】
2008068914.tif 000009
【図８】
2008068914.tif 000010
【図９】
2008068914.tif 000011
【図１０】
2008068914.tif 000012
【図１１】
2008068914.tif 000013
【図１２】
2008068914.tif 000014
【図１３】
2008068914.tif 000015
【図１４】
2008068914.tif 000016
【図１５】
2008068914.tif 000017
【図１６】
2008068914.tif 000018
【図１７】
2008068914.tif 000019
【図１８】
2008068914.tif 000020
【図１９】
2008068914.tif 000021
【図２０】
2008068914.tif 000022
【図２１】
2008068914.tif 000023
【図２２】
2008068914.tif 000024
【図２３】
2008068914.tif 000025
【図２４】
2008068914.tif 000026
【図２５】
2008068914.tif 000027
【図２６】
2008068914.tif 000028
【図２７】
2008068914.tif 000029
【図２８】
2008068914.tif 000030
【図２９】
2008068914.tif 000031
【図３０】
2008068914.tif 000032
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
患者に投与する医薬品の情報を電子カルテ上で管理する電子カルテ情報生成装置において、
医薬品ごとの、前記患者に投与すべき量である用薬量を取得する用薬量取得手段と、
前記用薬量取得手段で取得された用薬量に基づいて、前記患者の治療計画情報を生成する治療計画情報生成手段と、
医薬品ごとの、患者または医師により備蓄され前記用薬量取得手段で取得された用薬量に充当する量を取得する充当量取得手段と、
医薬品ごとの、前記用薬量取得手段で取得された用薬量から、前記充当量取得手段で取得された充当する量を差し引いた量を、調達が必要な量として物品調達情報を生成する物品調達情報生成手段と
を備えることを特徴とする電子カルテ情報生成装置。
【請求項２】
前記治計画情報生成手段で生成された治療計画情報、および前記物品調達情報生成手段で生成された物品調達情報を表示する表示部をさらに有する
ことを特徴とする請求項１に記載の電子カルテ情報生成装置。
【請求項３】
前記用薬量取得手段は、
前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間の情報を取得する
ことを特徴とする請求項１または２に記載の電子カルテ情報生成装置。
【請求項４】
前記医薬品の情報は、当該装置が使用される医療機関で扱われている情報およびこの医療機関以外で扱われている情報を含む
ことを特徴とする請求項１〜３いずれか１項に記載の電子カルテ情報生成装置。
【請求項５】
患者に投与する医薬品の情報を電子カルテ上で管理する電子カルテ情報生成装置が、
医薬品ごとの、前記患者に投与すべき量である用薬量を取得し、
前記取得された用薬量に基づいて、前記患者の治療計画情報を生成し、
医薬品ごとの、患者または医師により備蓄され前記用薬量に充当する量を取得し、
医薬品ごとの、前記用薬量から前記充当する量を差し引いた量を、調達が必要な量として物品調達情報を生成する
ことを特徴とする電子カルテ情報生成方法。
【請求項６】
前記生成された治療計画情報および物品調達情報を表示する
ことを特徴とする請求項５に記載の電子カルテ情報生成方法。
【請求項７】
前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間をさらに取得する
ことを特徴とする請求項５または６に記載の電子カルテ情報生成方法。
【請求項８】
前記医薬品の情報は、当該装置が使用される医療機関で扱われている情報およびこの医療機関以外で扱われている情報を含む
ことを特徴とする請求項５〜７いずれか１項に記載の電子カルテ情報生成方法。
【請求項９】
患者に投与する医薬品の情報を電子カルテ上で管理する電子カルテ情報生成装置に、
医薬品ごとの、前記患者に投与すべき量である用薬量を取得する機能と、
前記取得された用薬量に基づいて、前記患者の治療計画情報を生成する機能と、
医薬品ごとの、患者または医師により備蓄され前記用薬量に充当する量を取得する機能と、
医薬品ごとの、前記用薬量から前記充当する量を差し引いた量を、調達が必要な量として物品調達情報を生成する機能と
を実行させる電子カルテ情報生成プログラム。
【請求項１０】
前記生成された治療計画情報および物品調達情報を表示する機能をさらに有する
ことを特徴とする請求項９に記載の電子カルテ情報生成プログラム。
【請求項１１】
前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間をさらに取得する機能を有する
ことを特徴とする請求項９または１０に記載の電子カルテ情報生成プログラム。
【請求項１２】
前記医薬品の情報は、当該装置が使用される医療機関で扱われている情報およびこの医療機関以外で扱われている情報を含む
ことを特徴とする請求項９〜１１いずれか１項に記載の電子カルテ情報生成プログラム。
【手続補正２】
【補正対象書類名】明細書
【補正対象項目名】００１５
【補正方法】変更
【補正の内容】
【００１５】
上記目的を達成するための本発明の請求項１に記載の電子カルテ情報生成装置は、患者に投与する医薬品の情報を電子カルテ上で管理する電子カルテ情報生成装置において、医薬品ごとの、前記患者に投与すべき量である用薬量を取得する用薬量取得手段と、前記用薬量取得手段で取得された用薬量に基づいて、前記患者の治療計画情報を生成する治療計画情報生成手段と、医薬品ごとの、患者または医師により備蓄され前記用薬量取得手段で取得された用薬量に充当する量を取得する充当量取得手段と、医薬品ごとの、前記用薬量取得手段で取得された用薬量から、前記充当量取得手段で取得された充当する量を差し引いた量を、調達が必要な量として物品調達情報を生成する物品調達情報生成手段とを備えることを特徴とする。
【手続補正３】
【補正対象書類名】明細書
【補正対象項目名】００１６
【補正方法】変更
【補正の内容】
【００１６】
また、請求項２は請求項１に記載の電子カルテ情報生成装置であり、前記治計画情報生成手段で生成された治療計画情報、および前記物品調達情報生成手段で生成された物品調達情報を表示する表示部をさらに有することを特徴とする。
【手続補正４】
【補正対象書類名】明細書
【補正対象項目名】００１７
【補正方法】変更
【補正の内容】
【００１７】
また、請求項３は請求項１または２に記載の電子カルテ情報生成装置であり、前記用薬量取得手段は、前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間の情報を取得することを特徴とする。
【手続補正５】
【補正対象書類名】明細書
【補正対象項目名】００１８
【補正方法】変更
【補正の内容】
【００１８】
また、請求項４は請求項１〜３いずれか１項に記載の電子カルテ情報生成装置であり、前記医薬品の情報は、当該装置が使用される医療機関で扱われている情報およびこの医療機関以外で扱われている情報を含むことを特徴とする。
【手続補正６】
【補正対象書類名】明細書
【補正対象項目名】００１９
【補正方法】変更
【補正の内容】
【００１９】
また、請求項５に記載の電子カルテ情報生成方法は、患者に投与する医薬品の情報を電子カルテ上で管理する電子カルテ情報生成装置が、医薬品ごとの、前記患者に投与すべき量である用薬量を取得し、前記取得された用薬量に基づいて、前記患者の治療計画情報を生成し、医薬品ごとの、患者または医師により備蓄され前記用薬量に充当する量を取得し、医薬品ごとの、前記用薬量から前記充当する量を差し引いた量を、調達が必要な量として物品調達情報を生成することを特徴とする。
【手続補正７】
【補正対象書類名】明細書
【補正対象項目名】００２０
【補正方法】変更
【補正の内容】
【００２０】
また、請求項６は請求項５に記載の電子カルテ情報生成方法であり、前記生成された治療計画情報および物品調達情報を表示することを特徴とする。
【手続補正８】
【補正対象書類名】明細書
【補正対象項目名】００２１
【補正方法】変更
【補正の内容】
【００２１】
また、請求項７は請求項５または６に記載の電子カルテ情報生成方法であり、前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間をさらに取得することを特徴とする。
【手続補正９】
【補正対象書類名】明細書
【補正対象項目名】００２２
【補正方法】変更
【補正の内容】
【００２２】
また、請求項８は請求項５〜７に記載の電子カルテ情報生成方法であり、前記医薬品の情報は、当該装置が使用される医療機関で扱われている情報およびこの医療機関以外で扱われている情報を含むことを特徴とする。
【手続補正１０】
【補正対象書類名】明細書
【補正対象項目名】００２３
【補正方法】変更
【補正の内容】
【００２３】
また、請求項９に記載の電子カルテ情報生成プログラムは、患者に投与する医薬品の情報を電子カルテ上で管理する電子カルテ情報生成装置に、医薬品ごとの、前記患者に投与すべき量である用薬量を取得する機能と、前記取得された用薬量に基づいて、前記患者の治療計画情報を生成する機能と、医薬品ごとの、患者または医師により備蓄され前記用薬量に充当する量を取得する機能と、医薬品ごとの、前記用薬量から前記充当する量を差し引いた量を、調達が必要な量として物品調達情報を生成する機能とを実行させることを特徴とする。
【手続補正１１】
【補正対象書類名】明細書
【補正対象項目名】００２４
【補正方法】変更
【補正の内容】
【００２４】
また、請求項１０は請求項９に記載の電子カルテ情報生成プログラムであり、前記生成された治療計画情報および物品調達情報を表示する機能をさらに有することを特徴とする。
【手続補正１２】
【補正対象書類名】明細書
【補正対象項目名】００２５
【補正方法】変更
【補正の内容】
【００２５】
また請求項１１は請求項９または１０に記載の電子カルテ情報生成プログラムであり、前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間をさらに取得する機能を有することを特徴とする。
【手続補正１３】
【補正対象書類名】明細書
【補正対象項目名】００２６
【補正方法】変更
【補正の内容】
【００２６】
また、請求項１２は請求項９〜１１いずれか１項に記載の電子カルテ情報生成プログラムであり、前記医薬品の情報は、当該装置が使用される医療機関で扱われている情報およびこの医療機関以外で扱われている情報を含むことを特徴とする。
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】０１１１
【補正方法】変更
【補正の内容】
【０１１１】
本実施形態においては、現備薬量として、「ミカルディス（登録商標）」は「３３錠」、「ロンゲス（登録商標）」は「１９錠」、「ジスロマック（登録商標）」は「０錠」、「ムコダイン（登録商標）」は「４９錠」が入力される。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
患者に投与する医薬品の情報を電子カルテ上で管理する電子カルテ情報生成装置において、
医薬品ごとの、前記患者に投与すべき量である用薬量を取得する用薬量取得手段と、
前記用薬量取得手段で取得された用薬量に基づいて、前記患者の治療計画情報を生成する治療計画情報生成手段と、
医薬品ごとの、患者または医師により備蓄され前記用薬量取得手段で取得された用薬量に充当する量を取得する充当量取得手段と、
医薬品ごとの、前記用薬量取得手段で取得された用薬量から、前記充当量取得手段で取得された充当する量を差し引いた量を、調達が必要な量として物品調達情報を生成する物品調達情報生成手段と、
前記治療計画情報生成手段で生成された治療計画情報と前記物品調達情報生成手段で生成された物品調達情報とを、区別して記録する記録手段と
を備えることを特徴とする電子カルテ情報生成装置。
【請求項２】
前記記録手段に記録された前記治療計画情報および前記物品調達情報を、区別して表示する表示部をさらに有する
ことを特徴とする請求項１に記載の電子カルテ情報生成装置。
【請求項３】
前記用薬量取得手段は、
前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間の情報を取得する
ことを特徴とする請求項１または２に記載の電子カルテ情報生成装置。
【請求項４】
前記医薬品の情報は、当該装置が使用される医療機関で扱われている情報およびこの医療機関以外で扱われている情報を含む
ことを特徴とする請求項１〜３いずれか１項に記載の電子カルテ情報生成装置。
【請求項５】
患者に投与する医薬品の情報を電子カルテ上で管理する電子カルテ情報生成装置が、
医薬品ごとの、前記患者に投与すべき量である用薬量を取得する用薬量取得ステップと、
前記用薬量取得ステップで取得された用薬量に基づいて、前記患者の治療計画情報を生成する治療計画情報取得ステップと、
医薬品ごとの、患者または医師により備蓄され前記用薬量取得ステップで取得された用薬量に充当する量を取得する充当量取得ステップと、
医薬品ごとの、前記用薬量取得ステップで取得された用薬量から、前記充当量取得ステップで取得された充当する量を差し引いた量を、調達が必要な量として物品調達情報を生成する物品調達情報生成ステップと、
前記治療計画情報生成ステップで生成された治療計画情報と前記物品調達情報生成ステップで生成された物品調達情報とを、区別して記録する記録ステップと
を有することを特徴とする電子カルテ情報生成方法。
【請求項６】
前記記録ステップで記録された前記治療計画情報および前記物品調達情報を、区別して表示する表示ステップをさらに有する
ことを特徴とする請求項５に記載の電子カルテ情報生成方法。
【請求項７】
前記用薬量取得ステップでは、
前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間を取得する
ことを特徴とする請求項５または６に記載の電子カルテ情報生成方法。
【請求項８】
前記医薬品の情報は、当該装置が使用される医療機関で扱われている情報およびこの医療機関以外で扱われている情報を含む
ことを特徴とする請求項５〜７いずれか１項に記載の電子カルテ情報生成方法。
【請求項９】
患者に投与する医薬品の情報を電子カルテ上で管理する電子カルテ情報生成装置に、
医薬品ごとの、前記患者に投与すべき量である用薬量を取得する用薬量取得機能と、
前記用薬量取得機能で取得された用薬量に基づいて、前記患者の治療計画情報を生成する治療計画情報取得機能と、
医薬品ごとの、患者または医師により備蓄され前記用薬量取得機能で取得された用薬量に充当する量を取得する充当量取得機能と、
医薬品ごとの、前記用薬量取得機能で取得された用薬量から、前記充当量取得機能で取得された充当する量を差し引いた量を、調達が必要な量として物品調達情報を生成する物品調達情報生成機能と、
前記治療計画情報生成機能で生成された治療計画情報と前記物品調達情報生成機能で生成された物品調達情報とを、区別して記録する記録機能と
を実行させる電子カルテ情報生成プログラム。
【請求項１０】
前記記録機能で記録された前記治療計画情報および前記物品調達情報を、区別して表示する表示機能をさらに有する
ことを特徴とする請求項９に記載の電子カルテ情報生成プログラム。
【請求項１１】
前記用薬量取得機能では、
前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間を取得する
ことを特徴とする請求項９または１０に記載の電子カルテ情報生成プログラム。
【請求項１２】
前記医薬品の情報は、当該装置が使用される医療機関で扱われている情報およびこの医療機関以外で扱われている情報を含む
ことを特徴とする請求項９〜１１いずれか１項に記載の電子カルテ情報生成プログラム。
【手続補正２】
【補正対象書類名】明細書
【補正対象項目名】００１５
【補正方法】変更
【補正の内容】
【００１５】
上記目的を達成するための本発明の請求項１に記載の電子カルテ情報生成装置は、患者に投与する医薬品の情報を電子カルテ上で管理する電子カルテ情報生成装置において、医薬品ごとの、前記患者に投与すべき量である用薬量を取得する用薬量取得手段と、前記用薬量取得手段で取得された用薬量に基づいて、前記患者の治療計画情報を生成する治療計画情報生成手段と、医薬品ごとの、患者または医師により備蓄され前記用薬量取得手段で取得された用薬量に充当する量を取得する充当量取得手段と、医薬品ごとの、前記用薬量取得手段で取得された用薬量から、前記充当量取得手段で取得された充当する量を差し引いた量を、調達が必要な量として物品調達情報を生成する物品調達情報生成手段と、前記治療計画情報生成手段で生成された治療計画情報と前記物品調達情報生成手段で生成された物品調達情報とを、区別して記録する記録手段とを備えることを特徴とする。
【手続補正３】
【補正対象書類名】明細書
【補正対象項目名】００１６
【補正方法】変更
【補正の内容】
【００１６】
また、請求項２は請求項１に記載の電子カルテ情報生成装置であり、前記記録手段に記録された前記治療計画情報および前記物品調達情報を、区別して表示する表示部をさらに有することを特徴とする。
【手続補正４】
【補正対象書類名】明細書
【補正対象項目名】００１９
【補正方法】変更
【補正の内容】
【００１９】
また、請求項５に記載の電子カルテ情報生成方法は、患者に投与する医薬品の情報を電子カルテ上で管理する電子カルテ情報生成装置が、医薬品ごとの、前記患者に投与すべき量である用薬量を取得する用薬量取得ステップと、前記用薬量取得ステップで取得された用薬量に基づいて、前記患者の治療計画情報を生成する治療計画情報取得ステップと、医薬品ごとの、患者または医師により備蓄され前記用薬量取得ステップで取得された用薬量に充当する量を取得する充当量取得ステップと、医薬品ごとの、前記用薬量取得ステップで取得された用薬量から、前記充当量取得ステップで取得された充当する量を差し引いた量を、調達が必要な量として物品調達情報を生成する物品調達情報生成ステップと、前記治療計画情報生成ステップで生成された治療計画情報と前記物品調達情報生成ステップで生成された物品調達情報とを、区別して記録する記録ステップとを有することを特徴とする。
【手続補正５】
【補正対象書類名】明細書
【補正対象項目名】００２０
【補正方法】変更
【補正の内容】
【００２０】
また、請求項６は請求項５に記載の電子カルテ情報生成方法であり、前記記録ステップで記録された前記治療計画情報および前記物品調達情報を、区別して表示する表示ステップをさらに有することを特徴とする。
【手続補正６】
【補正対象書類名】明細書
【補正対象項目名】００２１
【補正方法】変更
【補正の内容】
【００２１】
また、請求項７は請求項５または６に記載の電子カルテ情報生成方法であり、前記用薬量取得ステップでは、前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間を取得することを特徴とする。
【手続補正７】
【補正対象書類名】明細書
【補正対象項目名】００２３
【補正方法】変更
【補正の内容】
【００２３】
また、請求項９に記載の電子カルテ情報生成プログラムは、患者に投与する医薬品の情報を電子カルテ上で管理する電子カルテ情報生成装置に、医薬品ごとの、前記患者に投与すべき量である用薬量を取得する用薬量取得機能と、前記用薬量取得機能で取得された用薬量に基づいて、前記患者の治療計画情報を生成する治療計画情報取得機能と、医薬品ごとの、患者または医師により備蓄され前記用薬量取得機能で取得された用薬量に充当する量を取得する充当量取得機能と、医薬品ごとの、前記用薬量取得機能で取得された用薬量から、前記充当量取得機能で取得された充当する量を差し引いた量を、調達が必要な量として物品調達情報を生成する物品調達情報生成機能と、前記治療計画情報生成機能で生成された治療計画情報と前記物品調達情報生成機能で生成された物品調達情報とを、区別して記録する記録機能とを実行させることを特徴とする。
【手続補正８】
【補正対象書類名】明細書
【補正対象項目名】００２４
【補正方法】変更
【補正の内容】
【００２４】
また、請求項１０は請求項９に記載の電子カルテ情報生成プログラムであり、前記記録機能で記録された前記治療計画情報および前記物品調達情報を、区別して表示する表示機能をさらに有することを特徴とする。
【手続補正９】
【補正対象書類名】明細書
【補正対象項目名】００２５
【補正方法】変更
【補正の内容】
【００２５】
また請求項１１は請求項９または１０に記載の電子カルテ情報生成プログラムであり、前記用薬量取得機能では、前記用薬量の詳細情報として、前記医薬品ごとの１日あたりの投与回数分の投与時間が、予め設定された１日の中の各投与時間を示す投与時間パターンの中から選択されるか、所定の時刻が入力されるか、または所定の時間間隔が入力されることで、前記投与回数および前記投与時間を取得することを特徴とする。
【国際調査報告】
2008068914.tif 000033
2008068914.tif 000034
2008068914.tif 000035
2008068914.tif 000036